(57)【要約】【課題】  ビデオプログラム制作の効率化、柔軟化。【解決手段】  構成表提供装置が、ビデオプログラムの制作に必要な項目が設けられて各種情報が記述された構成表データを、各端末装置の閲覧に供する。各端末装置、即ち各作業グループの端末装置からは、それぞれ構成表データを閲覧できるようにする。つまり各作業グループは必要時に任意に構成表データを閲覧することで、構成表データに記述された内容により、例えば作業の指示や他のグループの作業結果を知ることができ、それに基づいて、必要な作業を進めることができるようにする。【選択図】  図２
2004312659.tif 000002
【特許請求の範囲】
【請求項１】
構成表提供装置、及び上記構成表提供装置と通信可能な複数の端末装置とから成り、
上記構成表提供装置は、
ビデオプログラムの制作に必要な項目が設けられて各種情報が記述された構成表データを格納する格納手段と、
上記構成表データを上記各端末装置の閲覧に供し、また上記各端末装置からの上記構成表データへの情報入力を処理する制御手段と、
を備え、
上記端末装置は、
上記構成表提供装置に通信接続して構成表データを取得する取得手段と、
上記取得手段により取得した構成表データを所定の表示部に表示させる表示制御手段と、
上記構成表データにおける所定の項目に対する入力情報を生成する入力情報生成手段と、
上記入力情報を上記構成表提供装置に送信する入力情報送信手段と、
を備えていることを特徴とするビデオプログラム制作システム。
【請求項２】
ビデオプログラムの制作に必要な項目が設けられて各種情報が記述された構成表データを格納する格納手段と、
上記構成表データを、通信可能な各端末装置の閲覧に供し、また上記各端末装置からの上記構成表データへの情報入力を処理する制御手段と、
を備えたことを特徴とする構成表提供装置。
【請求項３】
上記制御手段は、上記端末装置の１つからの上記構成表データへの特定の情報入力に応じて、他の端末装置に対して通知情報を発信する処理を行うことを特徴とする請求項２に記載の構成表提供装置。
【請求項４】
上記制御手段は、複数の上記端末装置からの上記構成表データへの特定の情報入力に応じて、他の端末装置に対して通知情報を発信する処理を行うことを特徴とする請求項２に記載の構成表提供装置。
【請求項５】
ビデオプログラムの制作に必要な項目が設けられて各種情報が記述された構成表データを提供する構成表提供装置に通信接続して構成表データを取得する取得手段と、
上記取得手段により取得した構成表データを所定の表示部に表示させる表示制御手段と、
上記構成表データにおける所定の項目に対する入力情報を生成する入力情報生成手段と、
上記入力情報を上記構成表提供装置に送信する入力情報送信手段と、
を備えていることを特徴とする端末装置。
【請求項６】
ビデオプログラムの制作に必要な項目から成る構成表データを生成し、上記構成表提供装置に対して送信する構成表送信手段を、
さらに備えたことを特徴とする請求項５に記載の端末装置。
【請求項７】
上記入力情報生成手段は、上記構成表データにおいて、取材又は制作の指示に関する項目に対しての入力情報を生成することを特徴とする請求項５に記載の端末装置。
【請求項８】
上記入力情報生成手段は、上記構成表データにおいて、取材又は制作に関する項目に対しての入力情報を生成することを特徴とする請求項５に記載の端末装置。
【請求項９】
上記入力情報生成手段は、上記構成表データにおいて、取材又は制作した映像又は音声の内容に関する項目に対しての入力情報を生成することを特徴とする請求項５に記載の端末装置。
【請求項１０】
上記入力情報生成手段は、上記構成表データにおいて、編集に関する項目に対しての入力情報を生成することを特徴とする請求項５に記載の端末装置。
【請求項１１】
上記入力情報生成手段は、上記構成表データに対して必要な項目の入力の完了を示す入力情報を生成することを特徴とする請求項５に記載の端末装置。
【請求項１２】
上記入力情報生成手段は、上記構成表データに対する入力情報を自動生成することを特徴とする請求項５に記載の端末装置。
【請求項１３】
上記入力情報生成手段は、上記構成表データに対する入力情報を入力操作に応じて生成することを特徴とする請求項５に記載の端末装置。
【請求項１４】
上記取得手段は、構成表データの一部の項目の情報のみを取得することを特徴とする請求項５に記載の端末装置。
【請求項１５】
上記取得手段により取得した構成表データを記録媒体に記録する記録手段を、さらに備えることを特徴とする請求項５に記載の端末装置。
【請求項１６】
上記取得手段により取得した構成表データを映像データ又は音声データとともに記録媒体に記録する記録手段を、さらに備えることを特徴とする請求項５に記載の端末装置。
【請求項１７】
上記入力情報生成手段は、上記記録媒体に記録された構成表データに対する更新に応じて、上記構成表提供装置における構成表データを更新するための上記入力情報を生成することを特徴とする請求項１５又は請求項１６に記載の端末装置。
【請求項１８】
ビデオプログラムの制作に必要な項目が設けられて各種情報が記述された構成表データを構成表提供装置から取得する取得ステップと、
取得した上記構成表データを所定の表示部に表示する表示ステップと、
上記構成表データにおける所定の項目に対する入力情報を生成する入力情報生成ステップと、
生成した上記入力情報を構成表提供装置に送信する送信ステップと、
を備えることを特徴とする端末処理方法。
【請求項１９】
さらに、ビデオプログラムの制作に必要な項目から成る構成表データを生成し、上記構成表提供装置に対して送信する構成表生成ステップを備えることを特徴とする請求項１８に記載の端末処理方法。
【請求項２０】
上記入力情報生成ステップでは、上記入力情報として、上記構成表データにおける取材又は制作の指示に関する項目に対しての入力情報を生成することを特徴とする請求項１８に記載の端末処理方法。
【請求項２１】
上記入力情報生成ステップでは、上記入力情報として、上記構成表データにおける取材又は制作に関する項目に対しての入力情報を生成することを特徴とする請求項１８に記載の端末処理方法。
【請求項２２】
上記入力情報生成ステップでは、上記入力情報として、上記構成表データにおける取材又は制作した映像又は音声の内容に関する項目に対しての入力情報を生成することを特徴とする請求項１８に記載の端末処理方法。
【請求項２３】
上記入力情報生成ステップでは、上記入力情報として、上記構成表データにおける編集に関する項目に対しての入力情報を生成することを特徴とする請求項１８に記載の端末処理方法。
【請求項２４】
上記入力情報生成ステップでは、上記入力情報として、上記構成表データに対して必要な項目の入力の完了を示す入力情報を生成することを特徴とする請求項１８に記載の端末処理方法。
【請求項２５】
上記入力情報生成ステップでは、上記構成表データに対する入力情報を自動生成することを特徴とする請求項１８に記載の端末処理方法。
【請求項２６】
上記入力情報生成ステップでは、上記構成表データに対する入力情報を入力操作に応じて生成することを特徴とする請求項１８に記載の端末処理方法。
【請求項２７】
上記取得ステップにおいて上記構成表データを構成表提供装置から取得する際には、構成表データの一部の項目の情報のみを取得することを特徴とする請求項１８に記載の端末処理方法。
【請求項２８】
上記取得ステップで取得した構成表データを記録媒体に記録する処理を行うことを特徴とする請求項１８に記載の端末処理方法。
【請求項２９】
上記取得ステップで取得した構成表データを、映像データ又は音声データを記録する記録媒体に記録する処理を行うことを特徴とする請求項１８に記載の端末処理方法。
【請求項３０】
上記入力情報生成ステップでは、上記入力情報として、上記記録媒体に記録された構成表データに対する更新に応じて、上記構成表提供装置における構成表データを更新するための入力情報を生成することを特徴とする請求項２８又は請求項２９に記載の端末処理方法。
【請求項３１】
ビデオプログラムの制作に必要な項目が設けられて各種情報が記述された構成表データを構成表提供装置から取得する取得ステップと、
取得した上記構成表データを所定の表示部に表示する表示ステップと、
上記構成表データにおける所定の項目に対する入力情報を生成する入力情報生成ステップと、
生成した上記入力情報を構成表提供装置に送信する送信ステップと、
を情報処理装置に実行させるプログラム。
【請求項３２】
さらに、ビデオプログラムの制作に必要な項目から成る構成表データを生成し、上記構成表提供装置に対して送信する構成表生成ステップを実行させる請求項３１に記載のプログラム。
【請求項３３】
上記入力情報生成ステップとして、上記入力情報として、上記構成表データにおける取材又は制作の指示に関する項目に対しての入力情報を生成する処理を実行させる請求項３１に記載のプログラム。
【請求項３４】
上記入力情報生成ステップでは、上記入力情報として、上記構成表データにおける取材又は制作に関する項目に対しての入力情報を生成する処理を実行させる請求項３１に記載のプログラム。
【請求項３５】
上記入力情報生成ステップでは、上記入力情報として、上記構成表データにおける取材又は制作した映像又は音声の内容に関する項目に対しての入力情報を生成する処理を実行させる請求項３１に記載のプログラム。
【請求項３６】
上記入力情報生成ステップでは、上記入力情報として、上記構成表データにおける編集に関する項目に対しての入力情報を生成する処理を実行させる請求項３１に記載のプログラム。
【請求項３７】
上記入力情報生成ステップでは、上記入力情報として、上記構成表データに対して必要な項目の入力の完了を示す入力情報を生成する処理を実行させる請求項３１に記載のプログラム。
【請求項３８】
上記入力情報生成ステップでは、上記構成表データに対する入力情報を自動生成する処理を実行させる請求項３１に記載のプログラム。
【請求項３９】
上記入力情報生成ステップでは、上記構成表データに対する入力情報を入力操作に応じて生成する処理を実行させる請求項３１に記載のプログラム。
【請求項４０】
上記取得ステップにおいて上記構成表データを構成表提供装置から取得する際には、構成表データの一部の項目の情報のみを取得する処理を実行させる請求項３１に記載のプログラム。
【請求項４１】
上記取得ステップで取得した構成表データを記録媒体に記録する処理を実行させる請求項３１に記載のプログラム。
【請求項４２】
上記取得ステップで取得した構成表データを、映像データ又は音声データを記録する記録媒体に記録する処理を実行させる請求項３１に記載のプログラム。
【請求項４３】
上記入力情報生成ステップでは、上記入力情報として、上記記録媒体に記録された構成表データに対する更新に応じて、上記構成表提供装置における構成表データを更新するための入力情報を生成する処理を実行させる請求項４１又は請求項４２に記載のプログラム。
【請求項４４】
ビデオプログラムの制作に必要な項目が設けられて各種情報が記述された構成表データを構成表提供装置から取得する取得ステップと、
取得した上記構成表データを所定の表示部に表示する表示ステップと、
上記構成表データにおける所定の項目に対する入力情報を生成する入力情報生成ステップと、
生成した上記入力情報を構成表提供装置に送信する送信ステップと、
を情報処理装置に実行させるプログラムを記録した記録媒体。
【請求項４５】
上記プログラムは、さらに、ビデオプログラムの制作に必要な項目から成る構成表データを生成し、上記構成表提供装置に対して送信する構成表生成ステップを実行させる請求項４４に記載の記録媒体。
【請求項４６】
上記プログラムは、上記入力情報生成ステップとして、上記入力情報として、上記構成表データにおける取材又は制作の指示に関する項目に対しての入力情報を生成する処理を実行させる請求項４４に記載の記録媒体。
【請求項４７】
上記プログラムは、上記入力情報生成ステップでは、上記入力情報として、上記構成表データにおける取材又は制作に関する項目に対しての入力情報を生成する処理を実行させる請求項４４に記載の記録媒体。
【請求項４８】
上記プログラムは、上記入力情報生成ステップでは、上記入力情報として、上記構成表データにおける取材又は制作した映像又は音声の内容に関する項目に対しての入力情報を生成する処理を実行させる請求項４４に記載の記録媒体。
【請求項４９】
上記プログラムは、上記入力情報生成ステップでは、上記入力情報として、上記構成表データにおける編集に関する項目に対しての入力情報を生成する処理を実行させる請求項４４に記載の記録媒体。
【請求項５０】
上記プログラムは、上記入力情報生成ステップでは、上記入力情報として、上記構成表データに対して必要な項目の入力の完了を示す入力情報を生成する処理を実行させる請求項４４に記載の記録媒体。
【請求項５１】
上記プログラムは、上記入力情報生成ステップでは、上記構成表データに対する入力情報を自動生成する処理を実行させる請求項４４に記載の記録媒体。
【請求項５２】
上記プログラムは、上記入力情報生成ステップでは、上記構成表データに対する入力情報を入力操作に応じて生成する処理を実行させる請求項４４に記載の記録媒体。
【請求項５３】
上記プログラムは、上記取得ステップにおいて上記構成表データを構成表提供装置から取得する際には、構成表データの一部の項目の情報のみを取得する処理を実行させる請求項４４に記載の記録媒体。
【請求項５４】
上記プログラムは、上記取得ステップで取得した構成表データを記録媒体に記録する処理を実行させる請求項４４に記載の記録媒体。
【請求項５５】
上記プログラムは、上記取得ステップで取得した構成表データを、映像データ又は音声データを記録する記録媒体に記録する処理を実行させる請求項４４に記載の記録媒体。
【請求項５６】
上記プログラムは、上記入力情報生成ステップでは、上記入力情報として、上記記録媒体に記録された構成表データに対する更新に応じて、上記構成表提供装置における構成表データを更新するための入力情報を生成する処理を実行させる請求項５４又は請求項５５に記載の記録媒体。
【発明の詳細な説明】
【技術分野】
【０００１】
本発明は、テレビ放送局等での番組制作などに好適なビデオプログラム制作システム、当該システムを構成する構成表提供装置と端末装置、端末装置での端末処理方法、端末処理のためのプログラム、プログラムを記録した記録媒体に関する。
【背景技術】
【０００２】
【特許文献１】特開２００１−１８４８０２
【特許文献２】特開２００１−２１６７６３
【特許文献３】特開２００１−２９０７３１  放送局や制作会社などにおいて、テレビ番組やビデオコンテンツなど（以下、これらの映像作品をビデオプログラムと呼ぶ）の制作は、多様な作業を行うグループ（スタッフ）が互いに綿密な連係をとりながら、それぞれが必要な作業を進めていかなければならない。
【０００３】
図２４に、ビデオプログラム制作のワークフローを示す。図には各グループの作業内容を簡略的に示しており、また破線矢印は、或るグループから他のグループへの作業依頼、情報提供、通知、制作物提供などを示している。
【０００４】
ビデオプログラム制作の際には、まず企画構成グループが企画・構想をたて、内容の検討、審議などを行って内容の構成を決定する。
そして、企画・構成に基づいて、各作業グループに構成企画書を送付し、作業の指示を出す。
作業グループとしては、取材グループ、事務グループ、機材グループ、情報グループ、台詞グループ、ＣＧ（コンピュータグラフィック）／ＳＩ（スーパーインポーズ）グループ、編集グループ、出演者グループ、資料グループ、保存グループなどがある。
【０００５】
取材グループは、指示に基づいて取材を行う。まず、取材準備を行い、必要な手続や事務処理を事務グループに依頼する。また取材下見用の機材を機材グループに依頼する。
事務グループは、取材手続、取材許可、出張手配、契約関係などの事務を行う。
機材グループは取材下見に必要な機材を調達する。
取材グループは、取材手続及び機材調達の完了に応じて取材下見を行う。そして取材下見によって得た情報や下見の際の試し撮り映像を企画構成グループに受け渡す。
【０００６】
情報グループは制作するビデオプログラムに関連する情報を調査し、企画構成グループに報告する。
台詞グループは、台詞案を作成し、企画構成グループに提出する。
ＣＧ／ＳＩグループは、制作するビデオプログラムに必要な映像内容を分析し、コンピュータグラフィックやスーパーインポーズとして確認用のデータを制作する。そして企画構成グループに提出する。
編集グループは、制作するビデオプログラムの内容を分析し、編集指示書を作成する。
出演者グループは、制作するビデオプログラムに必要な演技内容などを分析し、演技者やアナウンサーのキャスティングその他の必要な予定をたて、企画構成グループに提出する。
資料グループは、資料映像・音楽を検討し、仮調達して企画構成グループに受け渡す。
【０００７】
企画構成グループは、各グループから提供された情報、資料、映像、音楽などから内容を検討／確認する。そして確認に応じて各グループに指示を出す。
台詞グループは本番台詞を作成し、取材グループに受け渡す。
取材グループは、機材グループから本番用の機材調達を受け、また出演者グループで予定された出演者を伴って、本番取材を行う。そして本番取材で撮った映像・音声データを企画構成グループに受け渡す。
企画構成グループはオフライン編集や試写を行って取材内容を確認し、編集グループに受け渡す。
【０００８】
ＣＧ／ＳＩグループは、コンピュータグラフィックやスーパーインポーズとして最終データを制作し、編集グループに受け渡す。
出演者グループは、ナレーション吹き込みを行い、ナレーション音声のデータを編集グループに受け渡す。
資料グループは、ビデオプログラムに挿入する資料映像や、ＢＧＭ（background music）などの音楽などを選択・修正して編集グループに受け渡す。
編集グループでは、編集指示書を最終的に修正した後、各グループから提供された取材映像、ＣＧ／ＳＩ、資料映像・音楽、ナレーション音声を用いて編集指示書に従って編集を行い、ビデオプログラムを完成させる。
そして企画構成グループにおいてビデオプログラムの最終確認を行い、完全パケットとなる。
【０００９】
取材で得られた映像／音声データは、保存グループに受け渡されて映像／音声素材として保存される。
また完全パケット（完パケ）とされたビデオプログラムは保存グループに受け渡されて保存される。
【発明の開示】
【発明が解決しようとする課題】
【００１０】
このようなワークフローは一例ではあり、また実際には更に細かい作業が多数必要であるが、各作業グループが連係して、他のグループの進捗状況に応じて、それぞれ必要な作業を進めていかなければならないことが理解される。
理想的には、各グループが他のグループの状況を逐一把握しながら、必要な作業をフレキシブルに進行させていくことができるとよい。
しかしながら実際には細かい進捗状況の綿密な連絡は不可能であり、連絡負担によってかえって作業効率が悪化することもある。
また、グループ間の依頼、結果連絡などは書類によって行われる。
これらのことから図２４に示したようなグループ間の連絡等は、各作業が一段落した時点で行われることになる。
このため、或るグループの作業の遅れによって他のグループの作業に大きな影響が出やすく、また指示や依頼の内容の修正／変更等を柔軟には行いにくい。
即ち、多数のグループの作業を効率的に連係させることは非常に困難である。
【００１１】
また、企画・構成グループからの指示は書面で行われる。
例えば取材グループは、映像作品の企画時に作成された、シナリオや台本、絵コンテなどに従って取材、撮像を行う。ＣＧ／ＳＩグループも、同様にこれらの書面に従ってコンピュータグラフィックの制作を行い、また資料グループも同様にこれらの書面に従って資料映像、音楽を選択する。
しかしながら、これらの書面によっては企画意図が伝わりにくく、企画意図に沿った取材、制作等が困難であった。
また、このため取材、制作の修正、やり直しなども必要となりやすく、ビデオプログラム制作の遅延につながりやすい。
さらに指示自体の修正／変更なども対応しにくい
【００１２】
また編集作業においても、取材による撮像内容を整理し、企画構想に沿った編集を行うのが容易ではなかった。これは、上記のように書面による指示であることや、取材グループによる撮像内容が手書きのメモなどで説明され、どのシーンやカットが良い物で、それらがシナリオや台本のどこに対応するのかが容易に判断できないなどの事情による。
【００１３】
つまり従来のビデオプログラム制作においては、グループ間の連携が難しく、効率的に各グループが作業を進めることが困難であるとともに、各グループが企画意図や他のグループの要請に応じて的確な作業を行うことも困難である。
また、企画構成の多少の修正や変更などにも容易に対応できない。
【課題を解決するための手段】
【００１４】
そこで本発明は、複数グループで各種作業が行われるビデオプログラム制作を効率化し、また取材、編集などの各作業において、企画構想に沿った内容を容易かつ的確に実現できるようにすることを目的とする。
【００１５】
本発明のビデオプログラム制作システムは、構成表提供装置、及び上記構成表提供装置と通信可能な複数の端末装置とから成る。
そして本発明のビデオプログラム制作システムにおける構成表提供装置、及び本発明の構成表提供装置は、ビデオプログラムの制作に必要な項目が設けられて各種情報が記述された構成表データを格納する格納手段と、上記構成表データを上記各端末装置の閲覧に供し、また上記各端末装置からの上記構成表データへの情報入力を処理する制御手段とを備える。
また上記制御手段は、上記端末装置の１つ（或いは複数）からの上記構成表データへの情報入力に応じて、他の端末装置に対して通知情報を発信する処理を行う。
【００１６】
また本発明のビデオプログラム制作システムにおける端末装置、及び本発明の端末装置は、上記構成表提供装置に通信接続して構成表データを取得する取得手段と、上記取得手段により取得した構成表データを所定の表示部に表示させる表示制御手段と、上記構成表データにおける所定の項目に対する入力情報を生成する入力情報生成手段と、上記入力情報を上記構成表提供装置に送信する入力情報送信手段とを備える。
【００１７】
また上記端末装置は、ビデオプログラムの制作に必要な項目から成る構成表データを生成し、上記構成表提供装置に対して送信する構成表送信手段をさらに備える。
また上記端末装置において、上記入力情報生成手段は、上記構成表データにおいて、取材又は制作の指示に関する項目に対しての入力情報を生成する。
また上記入力情報生成手段は、上記構成表データにおいて、取材又は制作に関する項目に対しての入力情報を生成する。
また上記入力情報生成手段は、上記構成表データにおいて、取材又は制作した映像又は音声の内容に関する項目に対しての入力情報を生成する。
また、上記入力情報生成手段は、上記構成表データにおいて、編集に関する項目に対しての入力情報を生成する。
また、上記入力情報生成手段は、上記構成表データに対して必要な項目の入力の完了を示す入力情報を生成する。
また上記入力情報生成手段は、上記構成表データに対する入力情報を自動生成する。或いは入力操作に応じて生成する。
また上記端末装置において、上記取得手段は、構成表データの一部の項目の情報のみを取得する。
また上記端末装置において、上記取得手段により取得した構成表データを記録媒体に記録する記録手段、或いは構成表データを映像データ又は音声データと共に記録媒体に記録する記録手段を、さらに備える。
また上記入力情報生成手段は、上記記録媒体に記録された構成表データに対する更新に応じて、上記構成表提供装置における構成表データを更新するための上記入力情報を生成する。
【００１８】
本発明の端末処理方法は、ビデオプログラムの制作に必要な項目が設けられて各種情報が記述された構成表データを構成表提供装置から取得し（取得ステップ）、取得した上記構成表データを所定の表示部に表示させ（表示ステップ）、上記構成表データにおける所定の項目に対する入力情報を生成し（入力情報生成ステップ）、生成した上記入力情報を構成表提供装置に送信する（送信ステップ）処理方法である。
また、さらに、ビデオプログラムの制作に必要な項目から成る構成表データを生成し、上記構成表提供装置に対して送信する（構成表生成ステップ）処理を行う。
また、上記入力情報として、上記構成表データにおける取材又は制作の指示に関する項目に対しての入力情報を生成する。
また上記入力情報として、上記構成表データにおける取材又は制作に関する項目に対しての入力情報を生成する。
また上記入力情報として、上記構成表データにおける取材又は制作した映像又は音声の内容に関する項目に対しての入力情報を生成する。
また上記入力情報として、上記構成表データにおける編集に関する項目に対しての入力情報を生成する。
また上記入力情報として、上記構成表データに対して必要な項目の入力の完了を示す入力情報を生成する。
また上記入力情報生成の際には、上記構成表データに対する入力情報を自動生成する。或いは入力操作に応じて生成する。
上記構成表データを構成表提供装置から取得する際には、構成表データの一部の項目の情報のみを取得する。
また、上記取得した構成表データを記録媒体に記録する処理、又は構成表データを映像データ又は音声データを記録する記録媒体に記録する処理を行う。
さらに上記入力情報として、上記記録媒体に記録された構成表データに対する更新に応じて、上記構成表提供装置における構成表データを更新するための入力情報を生成する。
【００１９】
本発明のプログラムは、上記端末処理方法を情報処理装置に実行させるプログラムである。
本発明の記録媒体は、上記プログラムを記録した記録媒体である。
【００２０】
これらの本発明によれば、構成表提供装置は、ビデオプログラムの制作に必要な項目が設けられて各種情報が記述された構成表データを、各端末装置の閲覧に供する。各端末装置、即ち各作業グループは、構成表データで閲覧できる内容、例えば作業の指示や他のグループの作業結果に基づいて、必要な作業を進めることができる。またその作業結果を構成表データに対する入力情報として送信する。
つまり各グループが他のグループの状況を構成表データを閲覧することで把握でき、進捗状況や映像内容などを確認できる。従って、他のグループの状況にフレキシブルに対応して作業を進めることができる。
【発明の効果】
【００２１】
本発明では、構成表提供装置が、ビデオプログラムの制作に必要な項目が設けられて各種情報が記述された構成表データを、各端末装置の閲覧に供する。各端末装置、即ち各作業グループの端末装置からは、それぞれ構成表データを閲覧できるようにしている。従って各作業グループは構成表データに記述された内容により、例えば作業の指示や他のグループの作業結果を知ることができ、それに基づいて、必要な作業を進めることができる。つまり、必要時に任意に構成表データを閲覧することで、指示を確認したり、他のグループの状況や作業結果としての映像や音声などを確認できるため、グループの作業効率は著しく向上される。また、指示の変更なども即座に対応できる。
【００２２】
端末装置が、ビデオプログラムの制作に必要な項目から成る構成表データを生成して、構成表提供装置に対して送信することで、基本となる構成表データを構成表提供装置に与え、各端末装置から閲覧可能な状態とさせることができる。例えば企画構成グループの端末装置として好適である。
また端末装置において、構成表データにおける取材又は制作の指示に関する項目に対しての入力情報を生成して、構成表提供装置に送信し、構成表データに書き込むようにすることで、取材や制作の指示を他のグループに提供することができる。また任意の時点で指示を加えたり、変更することも容易となる。
つまり他の端末装置が構成表データを閲覧することで、指示、指示の変更などを確認できるため、柔軟な制作指揮ができるものとなり、例えば企画構成グループの端末装置として好適である。
【００２３】
また端末装置において、構成表データにおける取材又は制作に関する項目に対しての入力情報を生成して、構成表提供装置に送信し、構成表データに書き込むようにすることで、構成表データの同期更新が可能となり、取材時の情報や制作時の情報を他のグループに随時伝えることができる。例えば取材グループや制作グループの端末装置として好適である。
また端末装置において、構成表データにおける取材又は制作した映像又は音声の内容に関する項目に対しての入力情報を生成して、構成表提供装置に送信し、構成表データに書き込むようにすることで、構成表データの同期更新が可能となり、取材や制作の結果として得られた映像・音声情報を他のグループに随時伝えることができる。従ってこれも取材グループや制作グループの端末装置として好適である。
【００２４】
また端末装置において、構成表データにおける編集に関する項目に対しての入力情報を生成して、構成表提供装置に送信し、構成表データに書き込むようにすることで、構成表データの同期更新が可能となり、編集作業での情報や編集結果を他のグループに随時伝えることができる。例えば編集グループの端末装置として好適である。
【００２５】
端末装置は、閲覧のために構成表提供装置から構成表データを取得する際には、構成表データの一部の項目の情報のみを取得するようにすれば、構成表データが大きなデータサイズのものであり、また比較的通信環境・能力が低い状態の端末装置でも、閲覧に支障はない。例えば取材グループであれば、取材に関する項目のみを閲覧するなどである。
また取得した構成表データをディスク等の記録媒体に記録することで、端末装置側で構成表データを適切に保存し、構成表データへの入力や加工に好適である。例えばオフライン編集などにおいても都合が良く、特に撮像現場などの端末装置に適している。さらに、その場合、記録媒体に記録された構成表データに対する更新に応じて、構成表提供装置における構成表データを更新するための入力情報を生成する。これにより、撮像現場などで構成表の入力・加工を構成表提供装置における構成表データに反映させることができ、適切な構成表データの同期更新が可能となる。特に取材グループ、制作グループ、編集グループ等の端末装置として好適である。
また、端末装置が構成表データに対して必要な項目の入力を完了したことを示す情報を入力することで、各グループの作業完了を構成表上で把握でき、更に構成表提供装置は、そのような特定の情報の入力に応じて他の端末装置に通知情報を発信することで、各グループ間の作業をスムーズに進行させることができる。
【００２６】
以上のことから、構成表データに対して各端末装置が閲覧・入力しながら作業を進めることで、多数のグループ間での指示、要請、結果確認、情報提供、作業状況把握などが非常に容易、迅速、的確に行われ、制作作業効率の向上が実現でき、さらに構成変更その他の各種事情による指示や内容の変更・修正に対する柔軟な対応が可能となる。
また映像や音声もグループ間で伝達できるため、例えば企画意図、イメージなども伝わりやすく、企画意図に沿った取材、制作等が容易となる。
さらに映像・音楽情報とともに、その内容に関する説明情報なども構成表データの項目とすることで、例えば編集時に集められた映像や音声などの把握が容易で、適切な編集を容易に実現することができるなど、各作業グループにとって最適な作業環境を作り出すことができる。
【００２７】
また本発明のプログラムによれば、上記効果を奏するビデオプログラム制作システム、端末装置を実現でき、本発明のプログラム記録媒体によれば、上記の効果を実現する端末装置、端末処理方法の実現及び広範な提供に適している。
【発明を実施するための最良の形態】
【００２８】
以下、本発明の実施の形態を次の順序で説明する。
１．ビデオプログラム制作システム
２．制作手順
３．サーバ構成
４．端末装置の構成
５．撮像装置の構成
６．構成表
７．各部の機能
８．構成表アクセス例
９．構成表を利用した制作業務
１０．処理例
１１．変形例及びプログラム
【００２９】
１．ビデオプログラム制作システム
まず図１で本例のビデオプログラム制作システムの構成を説明する。
ビデオプログラム制作システムは、基本的に構成表サイト３と、各種端末装置がネットワーク７で通信可能に接続されて構成される。ネットワーク７は、公衆回線、衛星通信回線、専用回線などを利用することが考えられる。
【００３０】
図１においては、端末装置の例として、企画構成グループの情報処理装置（パーソナルコンピュータ）４、制作グループの情報処理装置５、編集グループの情報処理装置６、取材グループの撮像装置１及びフィールドＰＣ（Personal Computer）２を例示している。
取材グループのフィールドＰＣ２とは、例えば携帯可能な情報処理装置（パーソナルコンピュータ・ＰＤＡ（personal digital assistant）などとする。また撮像装置１は、通信機能を備えることで、ネットワーク７を介した通信の端末装置となる。
そして各端末装置（１〜６）は、それぞれネットワーク７を介して構成表サイト３にアクセスし、情報の取得や送信を行うことができる。
【００３１】
なお、ビデオプログラム制作には、図２４の説明で述べたように、作業グループとして、企画構成グループ、取材グループ、事務グループ、機材グループ、情報グループ、台詞グループ、ＣＧ／ＳＩグループ、編集グループ、出演者グループ、資料グループ、保存グループなどがある。
図１には、説明の簡略化のために企画構成グループ、取材グループ、制作グループ、編集グループのみについて端末装置（１〜６）を示しているが、図示しない他の各グループも同様に情報処理装置等の端末装置を備えて、ネットワーク７を介した構成表サイト３へのアクセスが可能とされる。
図１の制作グループとは、ＣＧ／ＳＩグループ、出演者（ナレーション）グループ、資料グループなど、例えば取材グループとは別に、ビデオプログラムに使用する映像や音声を制作するグループのこととしている。
本例の説明では、企画構成グループ、取材グループ、制作グループ、編集グループの各端末装置（１〜６）について構成表サイト３に対するアクセス動作を主に述べていくが、他のグループについても作業内容に応じて必要なアクセス動作が行われるものである。
【００３２】
構成表サイト３は、構成表の内容を、映像制作の各グループ間で共有するために設けられる。即ち各グループの端末装置がネットワーク経由で単一のデータベースにアクセスできるようにすることを実現するために、ＷＷＷ方式のサイト（ウェブサイト）として構築されるものである。
構成表とは、ビデオプログラムの制作に必要な項目が設けられて各種情報が記述された表データである。例えば映像作品の内容をシーンやカットに分割し、表形式で表した物であり、その構成表には、シーンやカットの構成（数や順番）それぞれのタイトル、説明、その他の付随する情報が記述される。いわゆる、絵コンテに近いものであるが、映像作品に必要なほとんどの情報を持つものである。構成表の内容の具体例は後述する。
【００３３】
構成表サイト３は、ウェブサイトとしての端末装置（１〜６）からのアクセスを管理するコントローラ３ａと、構成表を形成するデータを格納するデータベース３ｂ、３ｃ、３ｄを有する。
メタデータデータベース３ｂは、構成表の各種項目情報（枠情報）、各項目に入力されたテキストデータ、静止画データを格納する。いわゆる構成表としての本体のデータを格納する。
映像・音声データベース３ｄは、取材グループや制作グループによって構成表に対して入力された映像データ、音声データを格納する。即ち実際にビデオプログラムに使用される映像等である。映像データ、音声データは、メタデータデータベース３ｂにおける構成表の所定の項目に対してリンクされた状態で格納されることで、映像・音声データベース３ｄに格納された映像データ、音声データが、構成表の内容として管理される。
圧縮映像データベース３ｃは、取材グループや制作グループによって構成表に対して入力された映像データの圧縮データ（ローレゾリューション映像データ：以下「ローレゾリューション（low resolution）」を「ローレゾ」と略記する）を格納する。
これは上記映像・音声データベース３ｄに格納されるオリジナルの映像データを圧縮し、データ量の少ない低品質の映像データとしたものであり、例えば粗編集などに利用されるデータである。
この圧縮データも、メタデータデータベース３ｂにおける構成表の所定の項目に対してリンクされた状態で格納されることで、構成表の内容として管理される。
【００３４】
２．制作手順
図１のシステムによるビデオプログラムの制作手順を図２で説明する。
ビデオプログラムの制作にあたっては、まず番組内容等の企画・構想が決められ、企画・構想に沿ってビデオプログラム内容の構成が決められる（Ｇ１）。
次に、ビデオプログラムの内容構成に応じて、構成表が作成される（Ｇ２）。
そして作成された構成表のデータが、企画構成グループの情報処理装置４から構成表サイト３にアップロードされる。つまり構成表がウェブ掲載される（Ｇ３）。
【００３５】
そして以降、各作業グループは、それぞれ端末装置から構成表サイト３にアクセスして構成表を閲覧し、また構成表に対して情報入力を行う。
この形態で、図示するように番組制作指揮（Ｇ４）、手続／交渉／準備（Ｇ５）、ＣＧ／ＳＩ制作（Ｇ６）、資料映像・音楽制作（Ｇ７）、ナレーション制作（Ｇ８）、下見・試写（Ｇ９）、取材・撮像（Ｇ１０）、編集・効果の付加（Ｇ１１）等としての各作業が、それぞれ担当グループで行われる。
また、編集・効果の付加（Ｇ１１）として編集され、番組制作指揮（Ｇ４）により最終確認がされて完成されたビデオプログラムは、完パケサーバ保存（Ｇ１２）として、記録媒体に保存される。
【００３６】
即ち各グループは、構成表サイト３にアクセスして構成表を閲覧しながら指示・要請された業務を遂行し、また指示、伝達事項、進捗状況、業務情報、制作／撮像した映像や音声を構成表に入力する。
これによって、各作業グループは、他のグループの状況を構成表において確認でき、また構成表を見ることで、取りかかるべき業務を選定して実行できる。
【００３７】
以下、図２の各業務における作業内容を述べる。
＜Ｇ２：構成表作成、Ｇ３：ウェブ掲載＞  
この業務は企画構成グループが担当する。
企画構成グループは、映像作品の企画段階で構成表を作成する。この構成表は図１の情報処理装置４を用いて作成し、コンピュータデータとして保存する。この場合、構成表としては後述する図６のような、各種項目をシーンやカット毎に備えた表形式のデータとして作成する。
表形式のデータとして、表の枠組みを形成したら、用意した項目の内で、企画意図や取材・制作等についての各種指示の項目について、その指示内容を入力する。
また、取材・制作に関しては、スケジュールも計画し、図７で後述するような制作スケジュール表も作成する。
これら構成表データ、つまり構成枠データ及び指示等の入力データと、制作スケジュール表データを作成したら、それぞれ随時、或いはまとめて構成表サイト３にアップロードする。
アップロードされた構成表データは、メタデータデータベース３ｂに格納され、これによって、各グループは、企画構成グループによる企画意図や指示を、構成表サイト３にアクセスして構成表を閲覧することで確認できる状態となる。
【００３８】
＜Ｇ５：手続／交渉／準備＞  
この業務は事務グループが担当する。
事務グループは、図１には示していない端末装置から構成表サイト３にアクセスして構成表を閲覧し、企画された取材内容や取材指示を確認する。そして必要な連絡、交渉、取材許可取付、肖像権、著作権など取材に際して必要となる事務処理を行う。そしてそれらの各事務処理の完了後、或いは進行中などに、構成表サイト３にアクセスして、事務処理による情報を構成表に入力する。
【００３９】
＜Ｇ６：CG/SI制作、Ｇ７：資料映像・音楽制作、Ｇ８：ナレーション制作＞  
この業務は制作グループが担当する。
制作グループは、端末装置（図１の情報処理装置５）から構成表サイト３にアクセスして構成表や制作スケジュール表を閲覧し、企画された取材内容や取材指示を確認する。そしてコンピュータグラフィック、スーパーインポーズ等のデータ制作、資料映像や音楽の選択、作成、ナレーション音声の制作などを行う。
そしてそれらの制作に関する情報や、制作したデータ等を構成表に入力する。実際の映像データや音声データは、映像・音声データベース３ｄに格納され、構成表データにリンクされる。
【００４０】
＜Ｇ９：下見・試写、Ｇ１０：取材・撮像＞
この業務は取材グループが担当する。
取材グループは、端末装置（図１のフィールドＰＣ２や撮像装置１）から構成表サイト３にアクセスして構成表を閲覧し、企画された取材内容や取材指示を確認する。また事務グループによって入力された取材許可や機材等の情報を確認する。さらに制作スケジュール表を確認する。
そしてこれらに応じて取材下見、試し撮りや試写、さらには本番取材としての撮像などを行う。
そして下見での撮像映像や本番取材での撮像映像や音声、或いは撮像時の各種情報、例えば機材、担当者、日時等の取材した映像の付随情報などを、構成表に入力する。構成表への各項目の入力は手動操作入力に応じて行われるが、自動的に行われる場合もある。撮像された実際の映像データや音声データは、映像・音声データベース３ｄに格納され、構成表データにリンクされる。
【００４１】
＜Ｇ１１：編集・効果の付加＞
この業務は編集グループが担当する。
編集グループは、端末装置（図１の情報処理装置６）から構成表サイト３にアクセスして構成表を閲覧し、企画された取材内容や編集、効果に関する指示を確認する。また取材グループによって入力された映像・音声、及びそれらに関する情報、例えば機材や日時を確認する。さらに制作グループによって入力された映像・音声、及びそれらに関する情報を確認する。
そして、取材・制作された映像・音声を用いて、粗編集、本編集、映像効果、音響効果の付加などを行い、編集情報や編集した映像・音声を構成表に入力する。
編集された実際の映像データや音声データは、映像・音声データベース３ｄに格納され、構成表データにリンクされる。
【００４２】
＜Ｇ４：番組制作指揮＞  
この業務は企画構成グループが担当する。
企画構成グループは、構成表データをウェブ掲載した後は、随時構成表サイト３にアクセスして構成表を閲覧し、各グループから入力されている情報を確認し、また必要に応じて指示情報を構成表に入力する。
例えば各グループの進捗状況や、取材・制作された映像・音声を確認して、各グループに業務進行指示や内容修正などの指示情報を構成表に入力することで、ビデオプログラム制作全体の指揮をとる。
【００４３】
例えば以上のように、各グループが構成表サイト３に掲載された構成表を確認しながら指示された業務を遂行し、また構成表に入力すべき情報を随時入力していく。
【００４４】
３．サーバ構成
各グループの端末装置（１〜６）に対して構成表のサーバとなる構成表サイト３としてのハードウエア構成を図３で説明する。
図３には主にセンターサーバ１５０の構成を示すが、これが図１のコントローラ３ａに相当する構成と見ることができる。また、図１の各データベース３ｂ、３ｃ、３ｄに相当する部分を、図３においてストレージ装置１４６として示す。また、図３の端末装置１５２が、各グループの端末装置（１〜６）に相当する。
【００４５】
図３に示すように、センタサーバ１５０は、例えばネットワーク７の例としてのインターネット１３３を介した端末装置１５２のアクセスに応答する公開セグメント装置１４１と、ネットワーク７の例としての専用回線１３６を介した端末装置１５２のアクセスに応答する非公開セグメント装置１４７と、異なるＬＡＮ（Local Area Network）同志を接続するルータ装置１５１と、センタサーバ１５０にアクセスする認証された正当な端末装置１５２のアクセスの権限を管理するアクセス権限データ管理ＤＢ装置１５７と、指定された端末装置１５２に承認回覧を要求する承認回覧処理装置１５５と、映像等のデータのフォーマットを指定されたフォーマットヘ変換する変換処理装置１５４とを備えている。
【００４６】
さらに、図３に示すように、端末装置１５２からファイアウォール１３４およびルータ装置１３５を介してセンタサーバ１５０に接続されている。
【００４７】
公開セグメント装置１４１は、インターネット１３３を介した端末装置１５２以外の不正なアクセスを排除するファイアウォール１４０と、端末装置１５２からのアクセスを制御する公開アクセス制御装置１４２と、端末装置１５２へ様々な情報を通知する通知装置１４５と、同一ＬＡＮ内を選択的に接続するスイッチ装置１４３と、データを記憶する記憶領域を所持するストレージ装置１４６と、端末装置１５２に必要な情報を提供する公開ＷＷＷ（World Wide Web）装置１４４とを備えている。
【００４８】
公開アクセス制御装置１４２は、公開セグメント装置１４１に対してアクセスのある端末装置１５２に属するユーザの認証処理などを行い、正当である場合、公開セグメント装置１４１へのアクセスを許可する。
また、公開アクセス制御装置１４２は、上記認証処理後、公開ＷＷＷ装置１４４と連携して、当該端末装置１５２によるアクセス権限データ管理ＤＢ装置１５７およびストレージ装置１４６に保有される公開記憶領域へのアクセスを制御する。
【００４９】
なお、通知装置１４５およびストレージ装置１４６は、非公開セグメント装置１４７ヘアクセスする端末装置１５２に対しても使用される。また、ストレージ装置１４６は、ファイルデータなどを記憶することができる記憶装置である。
【００５０】
公開ＷＷＷ装置１４４は、公開アクセス制御装置１４２と連携して、インターネット１３３および専用回線１３６を介してアクセスする端末装置１５２によるストレージ装置１４６へのアクセスに係わる処理を行い、必要な情報画面を端末装置１５２のディスプレイ装置に表示させる。
【００５１】
非公開セグメント装置１４７は、専用回線１３６を介した端末装置１５２以外の不正なアクセスを排除するファイアウォール１３９と、端末装置１５２からのアクセスを制御する非公開アクセス制御装置１４８と、同一ＬＡＮ内を選択的に接続するスイッチ装置１４９と、端末装置１５２に必要な情報を提供する非公開ＷＷＷ装置１５６とを備えている。
【００５２】
非公開アクセス制御装置１４８は、非公開セグメント装置１４７に対してアクセスのある端末装置１５２に属するユーザの認証処理などを行い、正当である場合、非公開セグメント装置１４７へのアクセスを許可する。
【００５３】
また、非公開アクセス制御装置１４８は、上記認証処理後、非公開ＷＷＷ装置１５６と連携して、当該端末装置１５２によるアクセス権限データ管理ＤＢ装置１５７およびストレージ装置１４６に保有される非公開記憶領域へのアクセスを制御する。
【００５４】
非公開ＷＷＷ装置１５６は、非公開アクセス制御装置１４８と連携して、専用回線１３６を介してアクセスする端末装置１５２による、ストレージ装置１４６へのアクセスに係わる処理を行い、必要な情報画面を端末装置１５２のディスプレイ装置に表示させる。
【００５５】
アクセス権限データ管理ＤＢ装置１５７は、管理装置であり、端末装置１５２および端末装置１５２が属するグループがアクセスするディレクトリ、ファイルデータ、およびコメントデータなどに対するアクセス権限を管理する。
さらに、アクセス権限データ管理ＤＢ装置１５７は、ストレージサービスを利用する正当な端末装置１５２であるかを、公開アクセス制御装置１４２または非公開アクセス制御装置１４８からの認証要求により、管理する端末装置１５２に属するユーザ（業務担当者）の個人識別番号（ＩＤ）およびパスワード（ＰＷ）に基づき照会する。
【００５６】
上記アクセス権限は、アクセス権限データに設定されるアクセス権限情報から上記ディレクトリ、ファイルデータ、およびコメントデータなどに対するアクセス可否が判断される。
上記アクセス権限データは、ディレクトリおよびサブディレクトリの属性に関する情報、ファイルデータの属性に関する情報、およびコメントデータの属性に関する情報も含まれる。
【００５７】
承認回覧処理装置１５５は、端末装置１５２からの要求により、グループに属する少なくとも１つの端末装置１５２に対して、予め設定された端末装置１５２に承認回覧する回覧ルートに基づいて、動画映像データなどを承認回覧する。ここで、承認回覧は、承認を伴わない確認の意味での閲覧も含まれる。
また、承認回覧する順序を変更するなどの回覧ルート設定のアクセスは、グループに属する端末装置１５２の管理的役割である管理端末装置１５２のみが可能である。
【００５８】
変換処理装置１５４は、端末装置１５２からのアクセスにより、指定されたストレージ装置１４６に格納された映像等のデータのフォーマットを、指定されたフォーマットに変換処理する。
【００５９】
４．端末装置の構成
次に端末装置の構成を図４で説明する。なお、この端末装置の構成は、図１の情報処理装置４，５，６、フィールドＰＣ２としての構成例である。
例えばこれらの端末装置はパーソナルコンピュータに構成表サイトに対する閲覧・入力を可能とするプログラムがインストールされ、起動されることで実現される。もちろんパーソナルコンピュータを利用せずに、専用の装置として構成されてもよい。
【００６０】
図４においてＣＰＵ４１は、起動されたプログラムに基づいて各部の制御や演算処理を行う。例えばオペレータに対する入出力動作、メモリ制御、ＨＤＤ（ハードディスクドライブ）制御、ネットワークを介した通信動作、外部インターフェース制御、ディスク９０、９１の記録再生制御、データ演算などを行う。
ＣＰＵ４１はバス４２を介して各回路部との間で制御信号やデータのやりとりを行う。
【００６１】
メモリ４３はＣＰＵ４１が処理に用いるＲＡＭ、ＲＯＭ、フラッシュメモリなどを包括的に示している。
メモリ４３におけるＲＯＭには、ＣＰＵ４１の動作プログラム、プログラムローダー等が記憶される。メモリ４３におけるフラッシュメモリには、各種演算係数、プログラムで用いるパラメータ等が記憶される。メモリ４３におけるＲＡＭには、プログラムを実行する上でのデータ領域、タスク領域が一時的に確保される。
【００６２】
入力部４５は、キーボード、マウス、タッチパネル、リモートコマンダー、スキャナその他の入力デバイスであって、オペレータが各種操作入力やデータ入力を行う。入力された情報は入力処理部４４で所定の処理が施され、ＣＰＵ４１に対して操作又はデータの入力として伝達される。ＣＰＵ４１は入力された情報に対応して必要な演算や制御を行う。
【００６３】
表示部４７は、例えばＣＲＴや液晶パネルなどの表示デバイスとされ、オペレータに対して各種情報表示を行う。
ＣＰＵ４１が各種動作状態や入力状態に応じて表示情報を表示処理部４６に供給すると、表示処理部４６は供給された表示データに基づいて表示部４７に表示動作を実行させる。
【００６４】
ＨＤＤ４８は、各種プログラムの格納やその他の各種データ格納、さらには構成表データや制作スケジュール表等のデータの取込領域などとして使用される。
またＣＰＵ４１の制御に基づいて、例えば構成表サイト３から取り込んだ構成表データをＨＤＤ４８に記録するようにしてもよい。
【００６５】
通信処理部４９は、ＣＰＵ４１の制御に基づいて送信データのエンコード処理、受信データのデコード処理を行う。
ネットワークインターフェース５０は、通信処理部４９でエンコードされた送信データをネットワーク７を介して他の機器に送信する。またネットワーク７を介して外部機器から送信されてきた信号を通信処理部４９に受け渡す。
通信処理部４９は受信した情報をＣＰＵ４１に転送する。
【００６６】
ディスクドライブ５１は、例えば撮像装置１においても記録及び再生メディアとして用いられるディスク９０に対して記録及び再生を行うディスクドライブである。
ディスクドライブ５１は、ＣＰＵ４１の制御に基づいて、例えば構成表サイト３から取り込んだ構成表データを、装填されているディスク９０に記録する。また撮像装置１で撮像してディスク９０に記録された映像の再生等を行う。
【００６７】
ディスクドライブ５５は、例えばＣＤ−ＤＡ、ＣＤ−ＲＯＭ、ＣＤ−ＲなどのＣＤ方式のディスクや、ＤＶＤ−ＲＯＭ、ＤＶＤ−ＲＡＭ、ＤＶＤ−ＲなどのＤＶＤ方式のディスク９１に対して記録及び再生を行うディスクドライブである。
例えば構成表サイト３にアクセスするためのプログラムや、各グループの業務に用いるアプリケーションプログラムやデータなどが、ＣＤ−ＲＯＭやＤＶＤ−ＲＯＭに収録されて提供される場合、ディスクドライブ５５にディスク９１を装填し、プログラムやデータのインストールを行うことができる。
【００６８】
外部インターフェース５４は、例えばＩＥＥＥ１３９４、ＵＳＢ、ＳＣＳＩなどの方式により接続された周辺機器と接続し、データ通信を行う部位である。
ディスクドライブ５１，５５に相当する機器が周辺機器として接続されてもよい。また外部ＨＤＤを接続して、その外部ＨＤＤにプログラムや必要なデータベース等が格納されるようにしてもよい。もちろんプリンタ、スキャナなどが接続される場合もある。さらに他の情報処理装置とＬＡＮが形成されるようにしてもよい。
【００６９】
音声処理部５３は、オペレータに対して出力するオーディオデータを処理し、音声出力部５２、例えばスピーカ部やヘッドホン端子に供給して音声出力させる。
音声処理部５３、音声出力部５２によっては、ディスクドライブ５１，５５でディスク９０，９１からオーディオデータが読み出された場合に、そのオーディオデータによる音声出力ができる。またＨＤＤ４８又は他の部位に格納されているオーディオファイル等の再生出力も実行される。
【００７０】
パーソナルコンピュータ等の情報処理装置を、本例における端末装置とするためには、図４の構成の情報処理装置に次のような処理を実行させるプログラムがインストールされればよい。
構成表サイト３にアクセスして構成表データを取得する処理。
取得した構成表データを表示部４７等に表示させる処理。
取得した構成表データをディスク９０又は９１、ＨＤＤ４８等に記録させる処理。
入力部４５等からの操作情報やデータ入力、或いは外部インターフェース５４を介した入力データなどから、構成表データにおける所定の項目に対する入力情報を生成する処理。
生成した入力情報をネットワークインターフェース５０から構成表サイト３に送信（アップロード）する処理。
【００７１】
また、構成表閲覧に際しては、必ずしも各グループの端末装置が構成表データの全ての内容を見る必要はない。このため構成表データを構成表サイト３から取得する際には、構成表データの一部の項目の情報のみを取得する処理を実行させるプログラムも用意される。
【００７２】
また、企画構成グループの情報処理装置４としては、ビデオプログラムの制作に必要な項目から成る構成表データを生成し、ネットワークインターフェース５０から構成表サイト３に送信（アップロード）する処理を行うためのプログラムがあればよい。
さらに上記の入力情報を生成する処理としては、構成表データにおける取材又は制作の指示に関する項目に対しての入力情報の生成に必要なプログラムが設けられる。
【００７３】
フィールドＰＣ２のように取材グループの端末装置や、制作グループの情報処理装置５などとしては、上記入力情報として、構成表データにおける取材又は制作に関する項目に対しての入力情報を生成する処理を実行させるプログラムが設けられる。
また、上記入力情報として、構成表データにおける取材又は制作した映像又は音声の内容に関する項目に対しての入力情報を生成する処理を実行させるプログラムが設けられる。
【００７４】
編集グループの情報処理装置６としては、上記入力情報として、構成表データにおける編集に関する項目に対しての入力情報を生成する処理を実行させるプログラムが設けられる。
【００７５】
これらのプログラムについては、ディスク９１又は９０によって提供でき、例えばＨＤＤ４８にインストールできる。或いはネットワークインターフェース５０を介して外部サーバからダウンロードできる。
もちろん上記プログラムが予めＨＤＤ４８やメモリ４３に格納されていてもよい。
或いは外部インターフェース５４に接続された周辺機器において上記プログラムが格納されていてもよい。
【００７６】
５．撮像装置の構成
取材グループにおいて撮像を実行するとともに、フィールドＰＣ２とともに図１のシステムの端末装置となる撮像装置１の構成例を図５に示す。
システムコントローラ１１は、マイクロコンピュータにより構成され、撮像装置１の全体を制御する。即ち以下説明する各部の動作制御を行う。
【００７７】
カメラ部１２は、映像撮像のための部位であり、撮像部１３、撮像信号処理部１４、カメラコントローラ１５を備える。
撮像部１３は、撮像レンズや絞りなどを備えて構成されるレンズ系、レンズ系に対してフォーカス動作やズーム動作を行わせるための駆動系、レンズ系で得られる撮像光を検出し、光電変換を行うことで撮像信号を生成するＣＣＤ(Charge Coupled Device) などが設けられる。
【００７８】
撮像信号処理部１４は、撮像部１３のＣＣＤによって得られる信号に対するゲイン調整や波形整形を行うサンプルホールド／ＡＧＣ(Automatic Gain Control)回路や、ビデオＡ／Ｄコンバータを備え、撮像によるデジタル映像データを生成する。
【００７９】
カメラコントローラ１５は、システムコントローラ１１からの指示に基づいて、撮像部１３及び撮像信号処理部１４の動作を制御する。例えばカメラコントローラ１５は、撮像部１３に対しては、オートフォーカス、自動露出調整、絞り調整、ズームなどの動作を実行させるための制御（モータ制御）を行うものとされる。
またカメラコントローラ１５はタイミングジェネレータを備え、ＣＣＤ及び撮像信号処理部１４のサンプルホールド／ＡＧＣ回路、ビデオＡ／Ｄコンバータに対しては、タイミングジェネレータにて生成されるタイミング信号により信号処理動作を制御する。
【００８０】
カメラ部１２では以上の構成により、撮像映像データを生成する。
また、マイクロホン３３で得られた音声信号は音声信号処理部３４でＡ／Ｄ変換され、撮像映像データに同期した音声データが生成される。
【００８１】
記録再生部１６は、カメラ部１２で得られた撮像映像データ（及びマイクロホン３３で得られた音声データ）を記録媒体（ディスク９０）に記録し、また再生できる部位である。
記録再生部１６にはエンコード／デコード部１７、ディスクドライブ１８、記録再生コントローラ１９が設けられる。
【００８２】
エンコード／デコード部１７は、撮像時にはカメラ部１２で得られる撮像映像データを、ディスク９０への記録フォーマットに変換するなどの処理を行う。また音声データについてもフォーマット変換を行う。なお、ＭＰＥＧ(Moving Picture Experts Group)方式或いは他の圧縮方式で映像、音声データを圧縮してディスク９０に記録するような処理形態も考えられる。
エンコード／デコード部１７で処理された撮像映像データ（及び音声データ）は、ディスクドライブ１８に供給され、装填されているディスク９０に記録される。
ディスク９０に記録されたデータの再生時には、ディスクドライブ１８によって再生された映像データ（及び音声データ）がエンコード／デコード部１７でデコード処理される。
【００８３】
記録再生コントローラ１９は、システムコントローラ１１の指示に基づいて、エンコード／デコード部１７の処理やディスクドライブ１８による記録及び再生動作、及びデータの入出力に関する制御を行う。
またディスクドライブ１８を制御して、管理情報、例えばＦＡＴ（file allocation table）データなどの読出や書込、さらにはＦＡＴの更新などによるディスク９０に記録されたデータの編集を実行させる。
【００８４】
撮像時にカメラ部１２で得られた撮像映像データや、ディスク９０から再生された映像データは、ビューファインダ３１に表示可能とされる。
撮像実行時、及び撮像スタンバイ時などにおいてカメラ部１２が撮像映像データを出力している際は、その撮像映像データはビューファインダドライバ３０に供給される。
ビューファインダドライバ３０は、システムコントローラ１１からの指示に応じて、それぞれ撮像映像データによる映像をビューファインダ３１に表示させる動作を行う。またシステムコントローラ１１の指示に応じたキャラクタ画像を重畳表示させる。
また、ディスク９０からの映像データ再生時においては、ディスクドライブ１８で再生出力され、エンコード／デコード部１７でデコードされた映像データがビューファインダドライバ３０に供給される。ビューファインダドライバ３０は、システムコントローラ１１からの指示に応じて、それぞれ供給された映像データ及び重畳するキャラクタ画像による映像をビューファインダ３１に表示させる動作を行う。
【００８５】
従って撮像者（カメラマン）は、ビューファインダ３１を見ながら撮像のスタンバイ（被写体の確認時）及び撮像の際のモニタリングや、ディスク９０に記録された映像内容のチェック、或いは簡単な編集操作などを行うことができる。
【００８６】
またディスク９０から再生されたオーディオデータは、オーディオドライバ３５でＤ／Ａ変換され、またフィルタリングや増幅などの信号処理がされてスピーカ部３６から出力される。
【００８７】
外部インターフェース２０は、外部装置としてのオーディオ・ビジュアル機器、情報機器、ストレージ機器などとの間で映像データ等を入出力する部位である。
通信部２１は例えば有線・無線でネットワーク通信を行う部位である。例えばモデム、イーサーネットインターフェース、携帯電話インターフェースなどにより形成される。即ち通信部２１を有することで、撮像装置１は図１に示したようにネットワーク７を介して構成表サイト３にアクセス可能とされる。
通信部２１は、撮像装置１に内蔵されるものとしてもよいし、別体機器として撮像装置１に接続されることで、撮像装置１のネットワーク通信を可能としてもよい。
また、取材グループ内においては、撮像装置１は、フィールドＰＣ２に対して通信部２１、或いは外部インターフェース２０により、有線又は無線で通信接続することで、各種データ通信が可能となる。
撮像された映像、音声データについても、記録再生部１６で再生されて、或いは撮像時（記録時）に同時に、通信部２１、或いは外部インターフェース２０により送信可能とされる。
なお映像データとしてはオリジナル動画映像だけでなく、エンコード／デコード部で圧縮処理したローレゾ画像についても送信可能である。
【００８８】
ＲＯＭ２２，ＲＡＭ２３、フラッシュメモリ２４は、それぞれシステムコントローラ１１が必要なデータやプログラムの記憶や演算領域として用いる。
例えばＲＯＭ２２には、システムコントローラ１１の処理プログラム、固定データ等が記憶される。ＲＡＭ２３は一時的な情報の格納やワーク領域として用いられる。フラッシュメモリ２４は各種の制御係数などが記憶される。
この撮像装置１も構成表サイト３にアクセス可能とされるが、そのために図４の端末装置の説明で述べたような必要なプログラムは、例えばＲＯＭ２２に格納され、システムコントローラ１１はプログラムに基づいた構成表に対する処理を行うことができるようにされる。
【００８９】
操作部２７には、当該撮像装置１に対する操作のための各種操作子が用意されている。即ち電源操作、撮像操作、再生操作、ズーム操作、各種モード操作、編集操作などのための操作子が形成される。
システムコントローラ１１は、これらの操作子によるユーザの操作を検出することに応じて、各部に対して必要な動作が実行されるように制御する。
【００９０】
電源部３２は例えばＤＣ／ＤＣコンバータにより、内蔵のバッテリにより得られる直流電源あるいは、電源アダプタを介して商用交流電源から生成された直流電源を利用して、各回路部に対して所要のレベルの電源電圧を供給する。電源部３２による電源オン／オフは、上述した操作部２７からの電源操作に応じてシステムコントローラ１１が制御する。
【００９１】
なお、この撮像装置１の本体に液晶表示部等の表示部を備え、例えば構成表サイト３から取得した構成表を表示できるようにしてもよい。
もちろんそのような表示部は、ビューファインダ３１と同様に撮像映像、再生映像などを表示できるようにもする。
さらに、構成表サイト３等から取得した構成表データについては、ＲＡＭ２３又はフラッシュメモリ２４に記憶させても良いし、記録再生部１６により、映像データ、音声データを記録するディスク９０に構成表データを記録しても良い。
【００９２】
６．構成表
図６に構成表に用意される項目の例を示す。
上述したように、構成表はシーン番号やカット番号に対して、取材・制作・編集などの各業務に必要な情報や業務の結果得られた情報を入力できる表形式のデータである。
【００９３】
図示するように、まずシーンの情報Ｋ１としてシーン番号とシーンタイトルの項目が設けられる。これは企画構成によって決められたビデオプログラムのシーン構成に相当する。
またカットの情報Ｋ２としてカット番号とカットタイトルの項目が設けられる。カットとは、１つのシーンを構成する映像単位であり、映像として連続した部分のことである。通常、複数のカットにより１つのシーンが形成される。
【００９４】
また企画意図Ｋ３、映像Ｋ４として、筋書き、解説、静止画の項目が設けられる。
これらの項目にはシーンやカットの筋書きや、意図する内容の解説などが記述される。また動画であるカットの映像のイメージを伝えるための静止画データも入力される。
【００９５】
取材・制作指示Ｋ５の情報としては、取材・制作番号、場所、開始日時、完了日時、担当者、機材、指示メール発信、進捗状況の各項目が設けられる。
「取材・制作番号」は、各カット単位で付される。
「場所」には取材・制作を行う場所の指示が記入される。
「開始日時」には、取材・制作を行う日時の指示が記入される。
「完了日時」には、取材・制作を完了すべき日時の指示が記入される。
「担当者」には、取材・制作を行うべき担当者を示す指示が担当者名又はスタッフに付されたＩＤによって記入される。
「機材」には、取材・制作に使用すべき機材の指示が記入される。
「指示メール発信」には企画構成グループから担当グループ或いは特定の担当者に対する指示メールが記入でき、当該「指示メール発信」に付随する発信ボタンをクリックすることで、指示メールを送信できる。
「進捗状況」には、上記指示メールに対する指示確認通知や各グループからの進捗情報の通知が入力される。
【００９６】
構成表における取材・制作情報Ｋ６としては、メディアＩＤ、記録区間、場所、開始日時、完了日時、担当者、機材、取材・制作メモ、著作権、編集ＯＫメールの各項目が設けられる。
「メディアＩＤ」には指示されたカットの映像として撮像装置１で撮像し、撮像映像データを記録したメディア（ディスク９０）の識別情報が記入される。
「記録区間」には、指示されたカットの映像の記録区間が映像データのフレームＩＤやタイムコードによって示される。
なお、例えば取材時等の簡易的な編集として、カット映像の記録区間内でさらにＩＮ点、ＯＵＴ点を指定した場合に、そのの情報を、この「記録区間」としての項目に付加できるようにしても良い。或いは図示していないが、取材・制作情報Ｋ６内に、粗編集用の「ＩＮ点」「ＯＵＴ点」としての項目を設けても良い。
「場所」には取材・制作を行った場所が記入される。
「開始日時」には、取材・制作を開始した日時が記入される。
「完了日時」には、取材・制作を完了した日時が記入される。
「担当者」には、取材・制作を行った担当者が、担当者名又はスタッフに付されたＩＤによって記入される。
「機材」には、取材・制作に使用した機材が記入される。
「取材・制作メモ」には、取材・制作した映像・音声に関する連絡事項や注意事項、或いは取材・制作業務において発生した事項など、担当グループ自体や他のグループに通知が必要な事項のメモが記入される。
「著作権」には取材・制作において発生した著作権、或いは取材・制作対象物等の著作権に関する情報が記入される。
「編集ＯＫメール」には、編集ＯＫの通知を入力できる。例えば取材グループ或いは制作グループが、取材・制作を完了し、さらに構成表での必要な入力を完了した段階で、編集グループに対して編集を開始しても良い旨の通知を記入できる。そして当該「編集ＯＫメール」に付随する発信ボタンをクリックすることで、通知メールを送信できる。
【００９７】
また構成表には、取材・制作によって撮像・制作された映像Ｋ７、音声Ｋ８、及び取材データＫ９の情報についての項目が設けられる。
映像Ｋ７の項目としては、静止画、ローレゾ動画、オリジナル動画、ＵＭＩＤ（Unique Material ID）、時間が設けられる。
なお、ＵＭＩＤとは、マテリアル（オーディオ、ビデオデータ等）についてのユニーク性を示すワールドワイドで唯一のＩＤ（識別情報）のことである。ＵＭＩＤが記録された記録媒体に、ＵＭＩＤが示すマテリアルが記録されている必要はなく、外部参照（他のメディア等へのリンク）が可能とされる。
「静止画」には、撮像したカットの代表画像の静止画が入力される。
「ローレゾ動画」には、撮像したカットの映像データとしての低品質映像データが入力される。
「オリジナル動画」には、撮像したカットの映像データが入力される。
「ＵＭＩＤ」には、ＵＭＩＤ、即ち画像素材（カットの映像）毎に付された識別情報が記入される。
「時間」には映像データの時間長が記入される。
【００９８】
音声Ｋ８の項目としては、各チャンネルの項目が用意される。即ち「ＣＨ１」〜「ＣＨ４」として、例えば４チャンネルの各チャンネル音声データが入力される。
【００９９】
取材データＫ９の項目としては、カメラ姿勢、カメラ数値、環境の項目が用意される。
「カメラ姿勢」には、カット撮像時のカメラの姿勢、ポジション、撮像方向などの情報が記入される。
「カメラ数値」には、撮像時の絞り、ホワイトバランス、ゲイン等の撮像装置１での数値情報が記入される。
「環境」には、撮像環境の情報が記入される。
【０１００】
また構成表には、編集業務における編集済映像Ｋ１０、編集済音声Ｋ１１、編集データＫ１２についての項目が設けられる。
編集済映像Ｋ１０の項目としては、静止画、ローレゾ動画、ハイレゾ（ハイレゾリューション（high resolution））動画、ＵＭＩＤ、時間が設けられる。
「静止画」には、編集したカットの代表画像の静止画が入力される。
「ローレゾ動画」には、編集したカットの映像データとしての低品質映像データが入力される。
「ハイレゾ動画」には、撮像したカットの映像データが入力される。
「ＵＭＩＤ」には、ＵＭＩＤ、即ち画像素材（カットの映像）毎に付された識別情報が記入される。
「時間」には編集した映像データの時間長が記入される。
【０１０１】
編集済音声Ｋ１１の項目としては、各チャンネルの項目が用意される。即ち「ＣＨ１」〜「ＣＨ４」として、例えば４チャンネルの各編集済のチャンネル音声データが入力される。
【０１０２】
編集データＫ１２の項目としては、編集効果、スーパー、メモの項目が用意される。
「編集効果」には、編集によって付加した映像効果等のデータが入力される。
「スーパー」には、編集によって付加したスーパーインポーズの情報が入力される。
「メモ」には、編集した映像・音声に関する連絡事項や注意事項、或いは編集業務において発生した事項など、担当グループ自体や他のグループに通知が必要な事項のメモが記入される。
【０１０３】
なお取材・制作、或いは編集業務にかかる上記の「ローレゾ画像」「オリジナル動画」「ＣＨ１」〜「ＣＨ４」の項目（Ｋ７，Ｋ８，Ｋ１０，Ｋ１１の項目）においては、構成表データ内に実際の映像データや音声データが入力されない。これらの映像データ、音声データは、図１で説明したように映像・音声データベース３ｄや圧縮映像データベース３ｃ等に格納され、構成表データの項目上では、それに対するリンク情報が記入されることになる。リンク情報には、例えばＵＭＩＤが用いられる。
また、これらの項目に付随して再生ボタンが形成され、各端末装置においては、再生ボタンをクリックすることで、リンクされている映像データや音声データを再生させることができる。
なお、ここでは構成表データ内に実際の映像データや音声データが入力されないと説明したが、構成表データ内にはリンク情報ではなく、実際の映像データや音声データが入力される方式も考えられる。
【０１０４】
構成表には以上のような項目が用意される。つまり企画構成グループは、図２のウェブ掲載（Ｇ３）として、上記のような項目を備えた構成表データを作成し、構成表サイト３にアップロードするものとなる。
また前述したように、企画構成グループは、以上のような項目の構成表データと共に制作スケジュール表を作成し、構成表と共に構成表サイト３に送信して閲覧可能とする。
【０１０５】
制作スケジュール表とは、図７のような表形式のデータである。
即ち、構成表を作成するまでの段階としての構想書、構成書案の作成のスケジュール、構成表データを構成表サイト３に掲載する期日のスケジュール、及び構成表に掲載された各カット番号についての取材・制作のスケジュールが、記載される。
この制作スケジュール表は構成表サイト３に掲載され、各担当グループは、制作スケジュール表に基づいて作業を進行させる。また制作スケジュール表に記入された業務が完了した際には、担当グループが制作スケジュール表において「済み」等の情報を入力していく。
或いは、制作スケジュール表については構成表データとリンクされ、構成表に所定のデータが入力されることに応じて、制作スケジュール表で業務完了の情報が自動的に入力されるようにしてもよい。例えばカット＃００１の取材映像が構成表に入力されたら、制作スケジュール表においてカット＃００１についての情報が「済み」とされるようにしてもよい。
【０１０６】
構成表や制作スケジュール表は以上のような情報とされ、各グループが担当業務に応じて所定の項目の内容を閲覧し、また情報入力を行う。
図８に、各グループが構成表のどの項目に対して閲覧、入力するかの例を示した。ここでは、企画構成グループ（情報処理装置４）、取材グループのフィールドＰＣ２、取材グループの撮像装置１、制作グループ（情報処理装置５）、編集グループ（情報処理装置６）のそれぞれによる、各項目に対する閲覧（○）、入力（●）を示している。
【０１０７】
図８上段に示す、シーンＫ１、カットＫ２、企画意図Ｋ３、映像Ｋ４、取材・制作指示Ｋ５についての各項目（シーン番号〜機材）は、企画構成グループが各グループに指示するための項目である。
従って企画構成グループの情報処理装置４によって、これらの各項目の内容が入力される。そして、他のグループの端末装置（１，２，５，６）では、これらの内容を閲覧し、業務指示内容を確認する。
なお、この例では「筋書」「解説」「静止画」の項目について撮像装置１が閲覧しないものとしているが、例えば取材現場ではフィールドＰＣ２でこれらを閲覧できればよく、また撮像装置１にこれら比較的大容量の情報をダウンロードするのは適当でない場合があるためである。もちろん、撮像装置１でこれらを閲覧するようにしてもよい。
【０１０８】
取材・制作指示Ｋ５の情報において「指示メール発信」については、上述したように企画構成グループが各グループに指示するためのものであり、企画構成グループの情報処理装置４によって入力される。送信先のグループの端末装置では、受信メールとしてその内容が表示される。また「進捗状況」については、メール受け取り通知や、状況通知であり、各グループの端末装置が自動又は手動操作に応じて入力するものとなる。企画構成グループでは「進捗状況」を閲覧してメールによる指示通知の確認や各グループの業務進捗状態を確認する。
【０１０９】
図８中段に示す、取材・制作情報Ｋ６、映像Ｋ７、音声Ｋ８、データＫ９についての各項目（メディアＩＤ〜環境）は、取材グループや制作グループが入力する項目となる。
撮像装置１では「メディアＩＤ」「記録区間」「場所」「開始日時」「完了日時」「担当者」「機材」を、撮像に応じた情報として入力する。「取材・制作メモ」「著作権」については、フィールドＰＣ２側で入力するものとし、撮像装置１は入力しない。
また映像Ｋ７、音声Ｋ８、データＫ９としての各項目、つまり実際の撮像による映像・音声データ（「ローレゾ動画」「オリジナル動画」「ＵＭＩＤ」「時間」「ＣＨ１」〜「ＣＨ４」）や、「カメラ姿勢」「カメラ数値」「環境」として撮像装置の姿勢、数値、撮像環境を入力する。
「静止画」は、例えば「ローレゾ動画」に基づいてフィールドＰＣ２側で選定入力するものとし、撮像装置１では入力しない。
【０１１０】
フィールドＰＣ２では「場所」「開始日時」「完了日時」「担当者」「機材」「取材・制作メモ」「著作権」を、撮像に応じた情報として入力する。
また映像Ｋ７において「静止画」を入力する。
「メディアＩＤ」「記録区間」は撮像装置１で入力されるため、フィールドＰＣ２はこれを閲覧する。「環境」については撮像装置１でも入力されるが、フィールドＰＣ２からも入力可能とする。
またフィールドＰＣ２は、撮像装置１で撮像された映像・音声データ（「ローレゾ動画」「ＵＭＩＤ」「時間」「ＣＨ１」〜「ＣＨ４」）及び「カメラ姿勢」「カメラ数値」を閲覧する。フィールドＰＣ２は例えば「ローレゾ動画」に基づいて「静止画」を生成し、入力する。
「編集ＯＫメール」は取材グループ（フィールドＰＣ、撮像装置）や制作グループが、取材段階、製作段階として必要な作業を完了したことに応じて入力する。
【０１１１】
なお、これらの撮像装置１で入力されフィールドＰＣ２で閲覧される情報は、構成表サイト３を介さずに撮像装置１からフィールドＰＣ２に直接供給されることを想定している。このため、オリジナル動画については、フィールドＰＣ２において閲覧しないものとしている。同じ取材現場にある撮像装置１とフィールドＰＣ２間で大容量の動画データ通信を行うことが適切とはいえないためである。
もちろん撮像装置１とフィールドＰＣ２が、構成表サイト３を介して互いの入力情報を閲覧することもできる。従って撮像装置１から構成表サイト３に送信した「オリジナル動画」をフィールドＰＣ２が閲覧することは当然可能である。
【０１１２】
制作グループについて考えれば、図８中段の項目については撮像装置１に関する「カメラ姿勢」「カメラ数値」「環境」を除いて、全ての項目が入力対象項目となる。
【０１１３】
図８下段に示す、編集済映像Ｋ１０、編集済音声Ｋ１１、編集データＫ１２についての各項目（静止画〜メモ）は、編集グループが入力する項目となる。
また、企画構成グループや制作グループは、編集グループによって入力されたこれらの項目を閲覧して確認し、必要な業務を行う。
【０１１４】
なお、以上説明してきた構成表の項目や、各グループでの入力、閲覧項目については、一例であることは言うまでもない
【０１１５】
７．各部の機能
構成表を利用したビデオプログラム制作業務を実行するための各部機能をまとめる。
【０１１６】
＜構成表サイト３の機能＞
・構成表や制作スケジュール表に入力された全ての情報をデータベースから取り出すことができる。即ち上述してきたような指示情報、映像、音声、取材情報、取材意図、筋書き、スケジュールその他の指示情報である。
・主な項目を構成表として表示可能とする。
・必要な内容に絞って表示することも可能とする。例えばアクセスしてきた端末装置の種別、グループ別、担当者権限などに応じて、必要な項目又は閲覧許可された項目のみを表示することができる。
・シーンやカットの挿入・削除可能とする。即ち企画構成グループからの指示により構成表の枠自体を修正できる。
・制作スケジュール表と構成表をリンクして処理する。例えば構成表へ所定項目の入力に基づいて制作スケジュール表の自動入力を行う。
・変更履歴を保存する。例えばシーン挿入が行われた場合には、「シーン挿入(2002/1/5 10:35 鈴木一郎）」などとして変更内容、日時、変更者などの情報を保持する。
【０１１７】
・動画は、専用サーバとしての映像・音声データベース３ｄに格納し、構成表においてリンクを張って管理する。また、ローレゾ動画も専用に圧縮映像データベース３ｃに格納し、構成表とはリンクさせる。
・動画データ、音声データについては、構成表のセルを選択し、表に付随した再生ボタンを押すことで再生できるようにする。即ち構成表閲覧から、取材や編集による実際の映像／音声の再生状態を導くことができるようにする。
【０１１８】
・企画構成グループの「指示メール発信」の項目の利用に基づいて、各種グループへの指示メールを発信するとともに、その履歴保存を行う。指示メールはパーソナルコンピュータや携帯電話に対して発信できるようにする。通信結果等を構成表の「進捗」に反映させる。例えばメール返信確認機能として、受信者が確認のために返信すると、指示了解の旨が「進捗」の欄に表示されるようにする。
また構成表への入力で、進捗欄に指示了解を表示できるようにする。
・取材グループや制作グループの「編集ＯＫメール」の項目の利用に基づいて、編集グループへの指示メールを発信するとともに、その履歴保存を行う。指示メールはパーソナルコンピュータや携帯電話に対して発信できるようにする。
【０１１９】
・取材許可管理機能として要申請、申請先情報、申請進捗、許可証閲覧等など取材に必要な事務事項の管理をする。例えば上記例では挙げなかったが、これらも構成表の項目として掲載してもよい。
・著作権管理機能として、要取得、取得先情報、取得進捗、書類閲覧、再放送情報等を管理する。これらも構成表の項目として個別に掲載してもよい。
【０１２０】
・サイト閲覧者別閲覧権限管理として、各グループ、或いは担当者毎に、閲覧できる項目範囲を管理する。或いは所定のグループや担当者以外は構成表自体を閲覧禁止として管理する。
【０１２１】
・構成表を制作指揮用、取材用など、多層構造とし、それらを全て重ねると、全体が完成するようにする。例えば上述のようにグループ毎に閲覧項目、入力項目が限定されるが、各グループに対しては、それぞれが閲覧又は入力できる項目のみを提示する。
・これらの多層構造の構成表としたときに、層別に変更（情報入力）権限を設定できるようにする。
・本編集に関する指示、例えばスーパーインポーズ・効果などの指示ができる。
・完パケにリンクしている。本編集されて構成表にアップロードされたデータを、完パケ保存データとしてリンクさせる。
【０１２２】
＜撮像装置１の機能＞
・通信機能を備えることで構成表サイト３にアクセスしたり、フィールドＰＣ２との間でデータ通信を可能とする。
・通信機能により構成表サイト３から、データを受信できる。構成表に対する閲覧項目の設定に高い自由度を持つ。
・通信機能によりフィールドＰＣ２から、データを受信できる。受信するデータ項目の設定に高い自由度を持つ。
・通信機能により構成表サイト３にデータを送信できる。構成表に入力する項目の設定に高い自由度を持つ。
・通信機能によりフィールドＰＣ２にデータを送信できる。フィールドＰＣ２に送信するデータ項目の設定に高い自由度を持つ。
・例えばハードニュース系等のために、ローレゾ動画、タイムコード、ＵＭＩＤを撮像中に構成表サイト３やフィールドＰＣ２に送信することができる。
【０１２３】
・撮像データの記録に関して、ＵＭＩＤ、ショットマーク、ショットデータを記録できる。ショットマークとは、記録スタートポイント、エンドポイント、ＯＫ・ＮＧ情報などである。ショットデータとは、日付、時間、機器ＩＤなどである。
・カメラ状態（カメラポジションデータ）、カメラ数値（絞り、ホワイトバランス、ゲイン等）を記録できる。
・映像データの全てのフレームに個別の標識（フレームID）を付ける。これは検索を容易にするためのものでありＵＭＩＤとは別に付すＩＤである。
・ショット毎、または、それに加えて一定時間毎に、ＵＭＩＤとフレームＩＤの対応をディスク９０のＦＡＴエリアに記録して管理する。
・構成表の一部又は全部を記録できる。
【０１２４】
・多国語対応とする。
・使用するディスク９０においてメディアＩＤがあらかじめ記録されている。
・メディア（ディスク９０等）に記録された構成表をビューファインダー３１等で表示でき、記録内容へのアクセスが可能とする。
・メディア（ディスク９０等）に記録された構成表は、構成表サイト３の構成表の一部と同じフォーマットとする。
・メディア（ディスク９０等）に記録された構成表データは、構成表サイト３の構成表に追加、修正（上書き）できる。
・上書き内容としてはオリジナル画、ローレゾ画、音声、メタデータとする。
・構成表の表示は、並べ替え可能とし、指示通りのシーン・カットの順番に撮像する必要はないものとする。
【０１２５】
＜フィールドＰＣ２、情報処理装置４、５、６の機能＞
・ウェブブラウザにより、構成表の基本的な操作を可能とする。
・構成表サイト３にログオンした状態で構成表に対する入力（加工）ができる。又は、より詳細で、素早く操作するために、構成表データをダウンロードしてアプリケーションで加工できるようにする。その場合、加工した構成表データを構成表サイト３にアップロードすることで、構成表サイト３側の構成表データも同様に加工（更新）される。
・構成表の指示内容の項目に関する入力可能（情報処理装置４）。
・構成表への取材情報、制作情報、編集情報の入力が可能（フィールドＰＣ２、情報処理装置５、６）。
【０１２６】
８．構成表アクセス例
取材グループの撮像装置１、フィールドＰＣ２を例にとって、構成表を利用した動作を説明する。
図９に構成表サイト３、撮像装置１、フィールドＰＣ２の間の通信動作を示す。
【０１２７】
＜フィールドＰＣ２と構成表サイト３＞
フィールドＰＣ２は、構成表サイト３にアクセスして構成表を取得できる。そして構成表において取材指示などの項目を閲覧し、また取材活動に応じて各種情報を入力できる。この場合、構成表サイト３にログオン状態で構成表に入力してもよいが、構成表をダウンロードしてフィールドＰＣ２内で加工し、その後構成表サイト３にアップロードしてもよい。どちらの手法で構成表に対する入力を行うかはオペレータによって選択可能である。
【０１２８】
＜撮像装置１と構成表サイト３＞
撮像装置１は、構成表サイト３にアクセスして構成表を取得できる。このとき取材グループが閲覧可能とされた構成表項目の一部のみとすればよい。取材グループが閲覧可能とされた構成表項目の全体についてはフィールドＰＣ２で閲覧可能なためである。
構成表データは通信部２１を介して撮像装置１内に取り込まれる。この構成表データはディスク９０に記録され、撮像装置１内で任意に表示、入力できる。
撮像装置１で撮像を行うカメラマンは、撮像装置１或いはフィールドＰＣ２で取材指示を確認し、必要な撮像を行う。
【０１２９】
撮像は、構成表に掲載されたカットを選択したうえで行う。
撮像装置１による撮像によって、撮像装置１に装填されているディスク９０には、映像データ、音声データは記録され、また圧縮映像データも記録されるが、それらは撮像の際に選択したカットの対応する構成表の欄（「オリジナル動画」「ローレゾ動画」「ＣＨ１」〜「ＣＨ４」）にリンクされる。
また、ＵＭＩＤ、タイムコード、フレームＩＤ、その他のメタデータもディスク９０に記録され、それらはそれぞれ構成表データに反映される。例えば「ＵＭＩＤ」「記録区間」「時間」「カメラ数値」などの項目に入力される。
さらには、取材制作情報Ｋ６として、ディスク９０に付されているメディアＩＤや、取材場所、日時、担当者、機材等の情報が構成表データに入力される。
【０１３０】
撮像によって得られた映像・音声データや、ディスク９０において構成表に入力されたデータは、通信部２１を介して構成表サイト３に送信され、構成表サイト３において取材情報や取材内容の項目が入力された状態となる。例えば「メディアＩＤ」その他の取材情報や、「オリジナル動画」「ローレゾ動画」「ＵＭＩＤ」「ＣＨ１」〜「ＣＨ４」などの取材内容の項目である。
なお、撮像装置１や使用する回線などによる通信性能、通信環境によっては「オリジナル動画」「ローレゾ動画」などの映像データや、音声データを送信することが好適でない場合がある。そのような場合は、少なくともＵＭＩＤを送信するようにすればよい。
構成表サイト３における構成表に、或るカットに対してＵＭＩＤが入力されれば、その後実際の映像データをアップロードした時点でリンクさせることができる。
【０１３１】
＜撮像装置１とフィールドＰＣ２＞
撮像装置１は、撮像した映像のローレゾ動画、ＵＭＩＤ、撮像情報をフィールドＰＣ２に送信する。
必要に応じてフィールドＰＣ２は、構成表の一部（現場で加工した取材指示など）を撮像装置１に送信する。
【０１３２】
９．構成表を利用した制作業務
上述してきた各機器の構成、機能、構成表の内容により行われる、ビデオプログラム制作業務の例を述べる。
【０１３３】
＜企画段階（企画構成グループ：情報処理装置４）＞
必要な項目を備えた構成表を生成した後、図１０に示す構成表のシーンＫ１、カットＫ２、企画意図Ｋ３、映像Ｋ４の各項目に対してシーン番号、シーンタイトル、カット番号、カットタイトル、筋書き、解説の各項目を入力する。
静止画の項目に対しては、手書きの図柄（いわゆる絵コンテ）または、デジタルカメラ等による静止画像を入力する。
これらの入力は、シーン番号毎に行う。例えばシーン１だけについて各項目を記入し、シーン２以降は未記入でも、シーン１については、次の取材・制作の計画段階に移ることができる。
【０１３４】
＜取材・制作の計画段階（企画構成グループ：情報処理装置４）＞
図１０に示す構成表の取材制作指示Ｋ５の各項目に対して、取材・制作番号、場所、開始日時、完了日時、担当者(担当者名と担当者ＩＤ）、機材の各項目を記入する。
記入は、シーン番号毎に行えばよい。たとえば、シーン１だけについて各項目を記入し、シーン２以降は未記入でも、シーン１については、次の取材や制作活動に移ることができる。
必要に応じ、指示メールを発信する。ここでは、指示メール発信欄に想定する発信ボタンを押す。
また構成表の生成及び上記各項目の入力とともに、制作スケジュール表を作成する。
進捗欄は、以下に述べる取材・制作に関する各グループからの情報が示される。
【０１３５】
＜取材活動（取材グループ：撮像装置１、フィールドＰＣ２）＞
図１１、図１２のような項目を備えた構成表データを取得する。そして既に記載されているシーンＫ１、カットＫ２、企画意図Ｋ３、映像Ｋ４、取材制作指示Ｋ５としての各項目の情報を確認して取材活動を行う。
図１１に示す取材・制作情報Ｋ６の各項目に対して、取材・撮像に応じて、メディアID、記録区間、場所、開始日時、完了日時、担当者(+ID)、機材、取材メモの各項目を記入する。
被写体に著作権などがある場合には、著作権欄に注意書きを記入する。
取材活動の進捗状況を進捗欄に記入する。進捗欄に記入する語句としては、指示了承、取材中、取材完了などとする。
また取材活動の結果として、図１２に示す映像Ｋ７、音声Ｋ８、データＫ９についての各項目の内容を入力する。
これら図１１，図１２の項目に対する記入は、シーン番号毎に行う。例えばシーン１についてだけ取材活動を行い、各項目を記入すれば、シーン２以降は未記入でも、シーン１については、次の編集活動に移ることができる。
【０１３６】
＜制作活動（制作グループ：情報処理装置５）＞
図１１、図１２のような項目を備えた構成表データを取得する。既に記載されているシーンＫ１、カットＫ２、企画意図Ｋ３、映像Ｋ４、取材制作指示Ｋ５としての各項目の情報を確認して制作活動を行う。
図１１に示す取材・制作情報Ｋ６の各項目に対して、取材・撮像に応じて、メディアID、記録区間、場所、開始日時、完了日時、担当者(+ID)、機材、制作メモの各項目を記入する。
制作・選択した映像や音声データに著作権などがある場合には、著作権欄に注意書きを記入する。
制作活動の進捗状況を進捗欄に記入する。進捗欄に記入する語句としては、指示了承、制作中、制作完了などとする。
また制作活動の結果として、図１２に示す映像Ｋ７、音声Ｋ８、データＫ９についての各項目の内容を入力する。
これら図１１，図１２の項目に対する記入は、シーン番号毎に行う。例えばシーン１についてだけ取材活動を行い、各項目を記入すれば、シーン２以降は未記入でも、シーン１については、次の編集活動に移ることができる。
【０１３７】
＜編集活動（編集グループ：情報処理装置６）＞
図１３のような項目を備えた構成表データを取得する。既に記載されているシーンＫ１、カットＫ２、企画意図Ｋ３としての各項目の情報を確認して編集活動を行う。またその際には、上記図１１，図１２の構成表項目として取材グループ、制作グループによって入力された映像・音声を用いて編集を実行する。
そして編集結果としての、映像、音声を図１３の編集済映像Ｋ１０、編集済音声Ｋ１１の各項目として入力する。構成表自体では編集はできないが、その結果をリンクする。つまり編集した映像・音声データについてのリンク情報が記入された状態となる。
また編集データＫ１２の項目として、編集効果（画面転換のワイプなど）、スーパーインポーズとリンクを張る。
また編集メモの項目を記入する。
また編集活動の進捗状況を進捗欄に記入する。進捗欄に記入する語句としては、編集中、編集完了などとする。
【０１３８】
例えばこのように、各グループは構成表データを参照して指示された必要な作業を進め、その作業結果を構成表に反映させる。
各グループは構成表を閲覧することで、指示、他のグループの状況などを把握でき、またシーン単位で可能なものから作業に取りかかることができることなどから、柔軟且つ効率的に業務を進めることができる。
また、取材・制作による映像・音声データ、編集された映像・音声データが構成表にリンクされることで、必要なグループが任意の時点で映像内容等を確認できる。企画構成グループによる制作指揮上での映像確認や、編集グループの編集の際の素材映像確認などが円滑に行われることになる。
また結果的に全てのシーンについて、取材・制作までの作業が完了したら、構成表上には、企画段階で意図したとおりの順番に取材・制作された映像データ等の内容が配置されているので、編集作業は、シーンやカットの微調整や全体の仕上げをすればよいことになり、非常に能率化される。
【０１３９】
ところで、構成表データは各グループによってアクセスされ、任意の時点で項目の入力が行われる。
このため構成表の内容を各グループにとって最新に保つこと、及び構成表の内容のうち、各グループが担当する項目の入力による更新を容易にすることが求められる。
【０１４０】
まず入力に関しては、業務内容や権限の大きさにより、各グループまたは各担当者が構成表において入力（変更または追加）できる範囲を限定する。
例えば取材または制作ＩＤで入力可能項目を特定したり、担当者ＩＤとパスワードで入力可能項目を特定する。つまり担当者により、入力可能項目が異なることで、構成表データ上での情報の混乱を防ぎ、且つ正当な権限による入力のみが行われるようにする。
また従って、取材または制作ＩＤ、担当者ＩＤなどはシステム利用範囲で唯一無二の物とする必要がある。
【０１４１】
構成表の内容を各グループにとって最新に保つためには、次のような同期処理が行われるようにする。
構成表に対する入力操作は、取材または制作ＩＤや、担当者ＩＤとパスワードを入力して、実行命令を発するようにする。そしてこの際、原則として自動的に取材・制作現場と構成表サイト３のデータ内容が一致するようにする。これにより、或るグループの端末装置において構成表の入力を実行した時点で、構成表サイト３でも同様の入力が行われた状態となり、その直後に他のグループの端末装置が構成表サイト３にアクセスして構成表を閲覧しても、最新の状態で閲覧することができる。
ただし、同一取材・制作の中でも、一部を変更したい場合も多いので、上記実行命令の前に同期処理を行う項目範囲を選択可能としてもよい。
【０１４２】
１０．処理例
上述してきた構成表及び各部の機能により、上記のように構成表を利用した制作業務が行われるが、その制作業務における各部の処理の具体的な例を説明する。
図１４は、一連の制作業務における各グループの処理の流れを概略的に示したもので、この流れの中で各グループでの具体的な処理を図１５〜図２０に示す。
なお図１４において、制作グループについては、取材グループと概略同様となるため（「取材」が「制作」になることが異なる）、図示及び説明を省略する。
【０１４３】
まず図１４での全体の流れを時間的な順序に沿って述べると次のようになる。
処理Ｓ１：企画構成グループは構成表を作成し、必要な項目の入力を行う。構成表サイトにおける構成表には、企画構成グループの意図が反映された入力内容の構成表が生成される。
処理Ｓ１１：構成表サイトは、企画構成グループによって、「指示メール発信」が入力されたか否かで、取材・制作が可能な状態になったか否かを判断する。
処理Ｓ１２：構成表サイトは、構成表に「指示メール発信」が入力されることに応じて、取材グループ、制作グループに対して指示メールを発信する。
処理Ｓ２１：取材グループは、指示メールの受信に応じて、構成表を閲覧し、取材内容等を確認する。
処理Ｓ２２：閲覧した構成表に記載された内容に従って取材（制作グループの場合は映像、音楽、音声その他の制作）を行う。
処理Ｓ２３：取材（制作）に応じて構成表の入力を行う。これによって取材（制作）の結果が構成表に反映される。
処理Ｓ１３：構成表サイトは、取材グループや制作グループによって、「編集ＯＫメール」が入力されたか否かで、編集が可能な状態になったか否かを判断する。
処理Ｓ１４：構成表サイトは、構成表に取材グループや制作グループなど、編集前の段階の作業を行う各グループからの「編集ＯＫメール」の入力が揃ったことに応じて、編集グループに対して指示メールを発信する。
処理Ｓ３１：編集グループは、指示メールの受信に応じて、構成表を閲覧し、取材・制作結果や編集方針などを確認する。
処理Ｓ３２：構成表に基づいて編集を行う。
処理Ｓ３３：編集に応じて構成表の入力を行う。これによって編集結果が構成表に反映され、ビデオプログラムが完成する。
【０１４４】
このような図１４の処理の流れの中で、処理Ｓ１として行われる企画構成グループでの情報処理装置４の処理を構成表サイト３の処理と合わせて図１５で説明する。
企画構成グループの情報処理装置４は、構成表入力に際して、まずステップＦ１０１で構成表サイト３に対してログオン処理を行い、ステップＦ１０２として構成表サイト３とのログオン状態を確立する。
そしてステップＦ１０３では、当該情報処理装置４の表示部４７で構成表の表示を行い、その状態でステップＦ１０４，Ｆ１０５での構成表入力（構成表の加工）を行う。
情報処理装置４は、ステップＦ１０４では、構成表における、シーンＫ１の項目、カットＫ２の項目、企画意図Ｋ３の項目、映像Ｋ４の項目について入力処理を行う。ログオン状態でこれらの項目の入力を行うことで、構成表サイト３にアップされた構成表が加工されていく。
またステップＦ１０５では、構成表における、取材・制作指示Ｋ５の項目について入力を行う。ログオン状態でこれらの項目の入力を行うことで、構成表サイト３にアップされた構成表が加工されていく。
【０１４５】
これらステップＦ１０４，Ｆ１０５の入力処理は、ステップＦ１０６で必要な項目の入力が完了したとの確認操作が担当者によって入力されるまで行われる。
必要な項目の入力の完了操作が行われたら、情報処理装置４はステップＦ１０７での指示メール入力処理に進む。担当者は指示メール発信の項目において、必要なコメントを入力したり、メール発信操作を行う。この指示メール発信の入力項目は構成表に反映される。
図示していないが、必要な処理を終えたら、情報処理装置４はログアウトを行う。
構成表サイト３におけるコントローラ３ａは、以上のような情報処理装置４による構成表入力に対応して加工された構成表の保存を行う。また、ステップＦ１０７で、指示メール入力が構成表に対して行われたことを確認したら、ステップＦ１１０として、取材グループ、制作グループへの指示メールの発信処理を行う（図１４のＳ１１，Ｓ１２）。
【０１４６】
次に、取材グループのフィールドＰＣ２、又は撮像装置１による構成表入力、即ち図１４の処理Ｓ２３としての構成表入力処理を図１６で説明する。なお、制作グループの情報処理装置５による構成表入力処理も概略同様となる。
また図１６の処理は、取材が完了した後の構成表入力処理であるが、取材中の撮像装置１による構成表入力や、フィールドＰＣ２による簡易編集項目の入力なども可能であり、それらについては後述する。
【０１４７】
取材グループのフィールドＰＣ２（又は撮像装置１）は、構成表入力に際して、まずステップＦ２０１で構成表サイト３に対して接続処理を行う。そしてステップＦ２０２として構成表サイト３とのログオン状態を確立するか、或いは構成表サイト３から構成表データのダウンロードを行う。
フィールドＰＣ２（又は撮像装置１）は、ステップＦ２０３で構成表の表示を行い、その状態でステップＦ２０４で構成表入力（構成表の加工）を行う。
このステップＦ２０４では、構成表における、取材・制作情報Ｋ６の項目、映像Ｋ７の項目、音声Ｋ８の項目、取材データＫ９の項目について入力を行う。ログオン状態でこれらの項目の入力を行うことで、構成表サイト３にアップされた構成表が加工されていく。或いはダウンロードした構成表に対してこれらの項目が入力され、その構成表がアップロードされる。
なお、実際の取材に係る映像データや音声データについては、構成表にリンク情報が入力され、構成表とは別に映像データや音声データが構成表サイト３にアップロードされる。但し、例えばローレゾ動画、静止画、音声データなどは構成表に直接入力されてアップロードされても良い。
また、オリジナル動画データについては、もちろんアップロードしてもよいが、ネットワーク環境等を考慮した場合は、オリジナル動画を持ち込みで構成表サイト３に受け渡すようにすることもある（Ｆ２０６）。例えばディスク９０等の記録メディアに記録したオリジナル動画を、構成表サイト３に持ち込んで映像・音声データベース３ｄに格納させる。
【０１４８】
ステップＦ２０４での入力は、ステップＦ２０５で必要な項目の入力が完了したとの確認操作が、担当者によって入力されるまで行われる。
必要な項目の入力の完了操作が行われたら、フィールドＰＣ２（撮像装置１）の処理はステップＦ２０７での編集ＯＫメール処理に進む。担当者は編集ＯＫ指示メール発信の項目において、必要なコメントを入力したり、メール発信操作を行う。この指示メール発信の入力項目は構成表に反映される。
構成表サイト３におけるコントローラ３ａは、以上のようなフィールドＰＣ２（撮像装置１）による構成表入力に対応して加工された構成表の保存を行う。また、ステップＦ２０７で、編集ＯＫメール入力が構成表に対して行われたことを確認したら、ステップＦ２１０として、編集グループへの指示メールの発信処理を行う（図１４のＳ１３，Ｓ１４）。
【０１４９】
次に、編集グループの情報処理装置６による処理、即ち図１４の処理Ｓ３１〜Ｓ３３としての編集及び構成表入力処理を図１７で説明する。
編集グループの情報処理装置６は、構成表サイト３からの指示メールによって編集が可能になった事を知った後において、まずステップＦ３０１で構成表サイト３に対してログオン処理を行う。そしてステップＦ３０２として構成表サイト３とのログオン状態を確立する。そしてステップＦ３０３で構成表の表示を行う。
また情報処理装置６は、ステップＦ３０４では、構成表に入力されているオリジナル動画等のリンク情報に基づいて、構成表サイト３からオリジナル動画、ローレゾ動画、音声データなどをダウンロードする。
なお、これらの情報がリンクではなく構成表内に組み込まれていれば、ダウンロードは不要である。
【０１５０】
情報処理装置６は、ステップＦ３０５では構成表を用いて自動粗編集を行う。例えばフィールドＰＣ２が、各カットについてイン点、アウト点を、構成表に入力していれば、その情報に基づいて、編集を行うことができる。
続いて情報処理装置６はステップＦ３０６で、粗編集データに基づいて仕上げ編集としての処理を行う。
そして仕上げ編集が完了したら、ステップＦ３０７で構成表入力（構成表の加工）を行う。
このステップＦ３０７では、構成表における、編集済み映像Ｋ１０の項目、編集済み音声Ｋ１１の項目、編集データＫ１２の項目について入力を行う。ログオン状態でこれらの項目の入力を行うことで、構成表サイト３にアップされた構成表が加工されていく。
上記図１４に示した一連の制作、即ち企画グループによる構成表入力から編集結果の構成表反映までの過程での処理は、一例として以上のように行われるものとなる。
【０１５１】
ところで、図１４における取材グループでの処理Ｓ２１，Ｓ２２の段階においても、構成表入力に関する処理が行われる場合がある。
例えば撮像装置１による取材時点の構成表処理の例を図１８に示す。
撮像装置１では、取材（撮像）に際して、ステップＦ２３１で構成表の読込を行う。構成表の読込は、上述してきた機能からわかるように撮像装置１が直接構成表サイト３にアクセスしてダウンロードしても良いし、フィールドＰＣ２にダウンロードされた構成表を外部インターフェース２０や通信部２１により入力してもよい。取り込んだ構成表は、例えばディスク９０に記録する。
なお構成表が格納されたディスク９０を装填するものとしてもよい。
【０１５２】
撮像装置１のシステムコントローラ１１は、構成表を取得したら、ステップＦ２３２で簡易構成表表示を実行させる。例えばビューファインダ３１に、内容を簡略化した構成表を表示させる。また図５には示していないが、液晶パネル等の表示部を備えていれば、その表示部に表示させても良い。
簡易構成表としては、例えば図１９のような内容の表示を行う。
この例では、シーンＫ１、カットＫ２、企画意図Ｋ３，映像Ｋ４の各項目のみを表示させる。即ち企画構成グループが入力した項目であり、カメラマンは、このような表示を見ることで、どのような映像を撮像すればよいかを認識する。
また簡易構成表表示においては、図示するように選択キーＳＫ１，ＳＫ２及びカーソルＫ１，Ｋ２を表示させ、シーンやカットを選択できるようにする。
【０１５３】
ステップＦ２３３では、システムコントローラ１１は、カメラマンが、これから撮像しようとするシーン、カットを選択キーＳＫ１，ＳＫ２を利用して選択することに応じて、撮像するカットを決定する。
そしてステップＦ２３４で、カメラマンの操作に応じて撮像処理を行う。
撮像後は、ステップＦ２３５において、システムコントローラ１１は構成表の項目の自動書込を行う。この場合、システムコントローラ１１は上記ステップＦ２３３で指定されたカットに対して、書込可能な項目、つまり映像Ｋ４の各項目、音声Ｋ８の各項目、取材データＫ９におけるカメラ姿勢やカメラ数値の項目などを書き込むことができる。
なお、この構成表の自動書込は、ディスク９０に記録された構成表に対して行えばよい。但し、この書込時点で構成表サイト３にログオンして構成表サイト３の構成表を加工したり、或いは自動書込後に構成表をアップロードするようにしてもよい。
【０１５４】
次に、同じく図１４の処理Ｓ２２の取材の際にフィールドＰＣ２で行われる構成表入力例を図２０に示す。
例えば上記図１８の処理で撮像や構成表の自動書込が行われた後、フィールドＰＣ２は、ステップＦ２５１で撮像装置１から構成表及びローレゾ画像を読み込む。
そしてフィールドＰＣ２を使用するスタッフは、構成表における各カットに対応するローレゾ画像を再生させながら、イン点、アウト点を決めて入力する。これに応じてフィールドＰＣ２では、ステップＦ２５２として、イン点、アウト点とされたポイント（タイムコード等）を構成表に入力する。例えば取材・制作情報Ｋ６の記録区間などの項目においてイン点・アウト点のサブ項目があれば、そこに入力するものとなる。
このようにして、撮像現場等で粗編集の情報も構成表に入力できる。そして、フィールドＰＣ２はステップＦ２５３で、構成表を構成表サイト３にアップロードする。
【０１５５】
以上のように、例えば取材として図１４の処理Ｓ２２の段階で、構成表内で特定の項目が撮像装置１やフィールドＰＣ２によって自動入力される場合もある。
その後、処理Ｓ２３の構成表入力において、上記図１６のように構成表入力が行われて、取材段階での構成表入力処理が完了する。
【０１５６】
ところで、図１４の処理の流れは基本的な一例であり、処理の流れは他にも各種考えられる。図２１，図２２に他の処理の流れの例を示しておく。
図２１は、複数の取材グループ＃１，＃２に取材指示を出す場合の例である。
【０１５７】
処理Ｓ１：企画構成グループは複数の取材グループのそれぞれに対する指示内容を含むように、構成表の必要な項目の入力を行う。例えばシーンやカット毎に、特定の取材グループを想定した内容の入力を行う。構成表サイトにおける構成表には、企画構成グループの意図が反映された入力内容の構成表が生成される。
処理Ｓ１１：構成表サイトは、企画構成グループによって、特定の取材グループに対する「指示メール発信」が入力されたか否かで、取材・制作が可能な状態になったか否かを判断する。
処理Ｓ１２−１：構成表サイトは、構成表に取材グループ＃１に対する「指示メール発信」が入力されることに応じて、取材グループ＃１に対して指示メールを発信する。
処理Ｓ１２−２：構成表サイトは、構成表に取材グループ＃２に対する「指示メール発信」が入力されることに応じて、取材グループ＃２に対して指示メールを発信する。
処理Ｓ２１−１〜Ｓ２３−１：取材グループ＃１は、指示メールの受信に応じて、構成表を閲覧し、指定されたシーン、カット等の取材内容等を確認する。そして構成表に記載された内容に従って取材を行い、取材に応じて構成表の入力を行う。これによって、取材グループ＃１での取材の結果が構成表に反映される。
処理Ｓ２１−２〜Ｓ２３−２：取材グループ＃２は、指示メールの受信に応じて、構成表を閲覧し、指定されたシーン、カット等の取材内容等を確認する。そして構成表に記載された内容に従って取材を行い、取材に応じて構成表の入力を行う。これによって、取材グループ＃２での取材の結果が構成表に反映される。
処理Ｓ１３：構成表サイトは、取材グループ＃１，＃２の両方から「編集ＯＫメール」が入力されたか否かで、編集が可能な状態になったか否かを判断する。
処理Ｓ１４：構成表サイトは、取材グループ＃１，＃２の両方から構成表に「編集ＯＫメール」が入力されることに応じて、編集グループに対して指示メールを発信する。
処理Ｓ３１〜Ｓ３３：上記図１４の場合と同様、編集グループは、指示メールの受信に応じて、構成表を閲覧し、取材・制作結果や編集方針などを確認する。構成表に基づいて編集を行う。そして編集に応じて構成表の入力を行う。
【０１５８】
次に図２２は、１つの取材グループに対して、複数の企画（ビデオプログラム＃１，＃２）についての取材指示を出す場合の例である。
処理Ｓ１−１：企画構成グループはビデオプログラム＃１についての構成表を作成し、必要な項目の入力を行う。構成表サイトにおける構成表には、企画構成グループの意図が反映された入力内容の構成表が生成される。
処理Ｓ１−２：企画構成グループはビデオプログラム＃２についての構成表を作成し、必要な項目の入力を行う。構成表サイトにおける構成表には、企画構成グループの意図が反映された入力内容の構成表が生成される。
処理Ｓ１１：構成表サイトは、企画構成グループによって、「指示メール発信」が入力されたか否かで、各ビデオプログラム＃１，＃２のそれぞれについて、取材・制作が可能な状態になったか否かを判断する。
処理Ｓ１２：構成表サイトは、ビデオプログラム＃１についての構成表に「指示メール発信」が入力されることに応じて、取材グループ、制作グループに対してビデオプログラム＃１についての指示メールを発信する。また、ビデオプログラム＃２についての構成表に「指示メール発信」が入力されることに応じて、取材グループ、制作グループに対してビデオプログラム＃２についての指示メールを発信する。
処理Ｓ２１：取材グループは、指示メールの受信に応じて、ビデオプログラム＃１の構成表やビデオプログラム＃２の構成表を閲覧し、それぞれの取材内容等を確認する。
処理Ｓ２２：閲覧した構成表に記載された内容に従って取材を行う。例えばビデオプログラム＃１、＃２のそれぞれに応じた取材を適宜実行していく。
処理Ｓ２３−１：ビデオプログラム＃１の取材に応じて構成表の入力を行う。これによって取材の結果がビデオプログラム＃１の構成表に反映される。
処理Ｓ２３−２：ビデオプログラム＃２の取材に応じて構成表の入力を行う。これによって取材の結果がビデオプログラム＃２の構成表に反映される。なお、ビデオプログラム＃１、＃２の内容によるが、同時的に取材した映像素材等が、両ビデオプログラムに使用される場合もある。
処理Ｓ１３：構成表サイトは、取材グループや制作グループによって、「編集ＯＫメール」が入力されたか否かで、ビデオプログラム＃１、＃２のそれぞれについて編集が可能な状態になったか否かを判断する。
処理Ｓ１４：構成表サイトは、ビデオプログラム＃１の構成表に「編集ＯＫメール」が入力されることに応じて、編集グループに対してビデオプログラム＃１の編集指示メールを発信する。またビデオプログラム＃２の構成表に「編集ＯＫメール」が入力されることに応じて、編集グループに対してビデオプログラム＃２の編集指示メールを発信する。
処理Ｓ３１−１：編集グループは、指示メールの受信に応じて、ビデオプログラム＃１の構成表を閲覧し、取材・制作結果や編集方針などを確認する。
処理Ｓ３２−１：ビデオプログラム＃１の構成表に基づいて編集を行う。
処理Ｓ３３−１：編集に応じてビデオプログラム＃１の構成表の入力を行う。これによって編集結果が構成表に反映され、ビデオプログラム＃１が完成する。
処理Ｓ３１−２：編集グループは、指示メールの受信に応じて、ビデオプログラム＃２の構成表を閲覧し、取材・制作結果や編集方針などを確認する。
処理Ｓ３２−２：ビデオプログラム＃２の構成表に基づいて編集を行う。
処理Ｓ３３−２：編集に応じてビデオプログラム＃２の構成表の入力を行う。これによって編集結果が構成表に反映され、ビデオプログラム＃２が完成する。
【０１５９】
１１．変形例及びプログラム
以上、実施の形態について説明してきたが、具体的なシステム構成、端末構成、機能、構成表の内容、構成表に対する処理などは、上記以外に多様に考えられる。
【０１６０】
実施の形態におけるディスク９０としては、光磁気ディスク、相変化記録ディスクなど、記録再生可能なディスクメディアが好適である。またディスク９０に代えて、フラッシュメモリ等を用いたメモリカードなど他の形式のメディアを用いてもよい。少なくとも映像データの記録メディアとして或る程度十分な容量があり、映像・音声データや構成表データの記録、再生が可能なメディアであればよい。
【０１６１】
また例えば撮像装置１などにおいて、ディスク９０に映像・音声等のデータとともに構成表データを記録する場合を想定すると、図２３のようなカートリッジディスク９０Ａとしての形態も好適である。
図２３（ａ）はカートリッジディスク９０Ａを上面側から見た斜視図で、図２３（ｂ）はカートリッジディスク９０Ａを下面側から見た斜視図である。
このカートリッジディスク９０Ａは、扁平な略方形上のカートリッジ１９２の内部に、ディスク１９１を回転可能に収納して成る。ディスク１９１自体は、例えば相変化方式、色素変化方式などでデータ記録を行う光ディスク、或いは磁界変調方式でデータ記録を行う光磁気ディスク、或いは磁気ディスクなどとする。
カートリッジディスク９０Ａの下面側は、図２３（ｂ）のように開口部１９８が形成され、ディスク１９１の記録面が表出される。なお、撮像装置１等に装填されていない状態において、開口部１９８を遮蔽するシャッタが形成されてもよい。
【０１６２】
カートリッジ１９２の内部には、ＩＣチップ１９５が組み込まれている。また端子部１９３がカートリッジ１９２の上面に表出するように配置され、端子部１９３とＩＣチップ１９５の間はフレキシブル基板１９９によって接続される。
ＩＣチップ１９５には、インターフェース回路、演算回路（ＣＰＵ）、フラッシュメモリ等の不揮発性記憶部などが形成されており、不揮発性記憶部に情報を書き込むことが可能とされる。
この不揮発性記憶部に記憶される情報は、当該カートリッジディスク９０Ａを装填した装置、例えば撮像装置１やフィールドＰＣ２などにより書き込まれ、或いは読み出される。即ち図４のディスクドライブ５１，或いは図５のディスクドライブ１８内などに、上記端子部１９３に対応する接続端子が形成されて、アクセス可能とされる。
【０１６３】
このようなカートリッジディスク９０Ａを考えると、構成表データを上記ＩＣチップ１９５の不揮発性記憶部に記憶させるという手法も想定される。
その場合、ディスク１９１の映像データ等の記録再生とは独立して構成表データについてのアクセスが可能であるため、構成表データの書込、加工、読出などの自由度を高めることができる。
また、例えばディスクではなく磁気テープカートリッジにおいて、同様にＩＣチップ１９５を設け、磁気テープカートリッジに映像データ等を記録する一方で、ＩＣチップ１９５に構成表データを記憶することも考えられる。
【０１６４】
なお、ＩＣチップ１９５は端子部１９３が外部機器の端子と接触されることでデータ授受を可能とするが、ＩＣチップ１９５が無線インターフェースを備えた非接触式ＩＣとすれば、端子部１９３やフレキシブル基板１９９は不要となる。その場合、撮像装置１等の装置側では非接触式ＩＣに対応した無線インターフェースを備えればよい。
【０１６５】
本実施の形態のプログラムは、上述した端末装置の機能を例えばパーソナルコンピュータや撮像装置において実現するプログラムである。
さらに、そのような本実施の形態のプログラムが記録された本実施の形態の記録媒体によれば、プログラムの提供が容易となる。
【０１６６】
本実施の形態のプログラムは、パーソナルコンピュータや撮像装置等の機器に内蔵されている記録媒体としてのＨＤＤや、ＣＰＵ内のＲＯＭ等に予め記録しておくことができる。
あるいはまた、フレキシブルディスク、ＣＤ−ＲＯＭ(Compact Disc Read Only Memory)、ＭＯ(Magnet optical)ディスク、ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウェアとして提供することができる。
また本実施の形態のプログラムは、リムーバブル記録媒体からパーソナルコンピュータ等にインストールする他、ダウンロードサイトから、ＬＡＮ(Local Area Network)、インターネットなどのネットワークを介してダウンロードすることもできる。
【図面の簡単な説明】
【０１６７】
【図１】本発明の実施の形態のビデオプログラム制作システムの説明図である。
【図２】実施の形態のビデオプログラム制作のワークフローの説明図である。
【図３】実施の形態の構成表提供装置のブロック図である。
【図４】実施の形態の端末装置のブロック図である。
【図５】実施の形態の撮像装置のブロック図である。
【図６】実施の形態の構成表の説明図である。
【図７】実施の形態の制作スケジュール表の説明図である。
【図８】実施の形態の構成表に対する閲覧・入力の説明図である。
【図９】実施の形態の撮像装置及びフィールドＰＣと構成表サイトの通信の説明図である。
【図１０】実施の形態の企画構成グループによる構成表の閲覧・入力の説明図である。
【図１１】実施の形態の取材グループによる構成表の閲覧・入力の説明図である。
【図１２】実施の形態の取材グループによる構成表の閲覧・入力の説明図である。
【図１３】実施の形態の編集グループによる構成表の閲覧・入力の説明図である。
【図１４】実施の形態の処理の流れの説明図である。
【図１５】実施の形態の企画構成段階の処理のフローチャートである。
【図１６】実施の形態の取材時の処理のフローチャートである。
【図１７】実施の形態の編集時の処理のフローチャートである。
【図１８】実施の形態の撮像装置の取材撮像時の処理のフローチャートである。
【図１９】実施の形態の簡易構成表の表示の説明図である。
【図２０】実施の形態のフィールドＰＣでの粗編集処理のフローチャートである。
【図２１】実施の形態の複数の取材グループを含む処理の流れの説明図である。
【図２２】実施の形態の複数のプログラム制作を含む処理の流れの説明図である。
【図２３】実施の形態のディスクの他の例の説明図である。
【図２４】従来のビデオプログラム制作ワークフローの説明図である。
【符号の説明】
【０１６８】
１  撮像装置、２  フィールドＰＣ、３  構成表サイト、４，５，６  情報処理装置、７  ネットワーク、１１  システムコントローラ、１２  カメラ部、１３  撮像部、１４  撮像信号処理部、１５  カメラコントローラ、１６  記録再生部、１７  エンコード／デコード部、１８  ディスクドライブ、１９  記録再生コントローラ、２０  外部インターフェース、２１  通信部、２２  ＲＯＭ、２３  ＲＡＭ、２４  フラッシュメモリ、２７  操作部、４１  ＣＰＵ、４３  メモリ、４５  入力部、４７  表示部、４９  通信処理部、５０  ネットワークインターフェース
【図１】
2004312659.tif 000003
【図２】
2004312659.tif 000004
【図３】
2004312659.tif 000005
【図４】
2004312659.tif 000006
【図５】
2004312659.tif 000007
【図６】
2004312659.tif 000008
【図７】
2004312659.tif 000009
【図８】
2004312659.tif 000010
【図９】
2004312659.tif 000011
【図１０】
2004312659.tif 000012
【図１１】
2004312659.tif 000013
【図１２】
2004312659.tif 000014
【図１３】
2004312659.tif 000015
【図１４】
2004312659.tif 000016
【図１５】
2004312659.tif 000017
【図１６】
2004312659.tif 000018
【図１７】
2004312659.tif 000019
【図１８】
2004312659.tif 000020
【図１９】
2004312659.tif 000021
【図２０】
2004312659.tif 000022
【図２１】
2004312659.tif 000023
【図２２】
2004312659.tif 000024
【図２３】
2004312659.tif 000025
【図２４】
2004312659.tif 000026